(57)【要約】  本発明は、インスタントメッセージングの方法、装置、プログラム及び記録媒体を提供し、通信分野に属する。前記方法は、ユーザーがグループ内で新しいメッセージを送信すると、グループ内で新しいメッセージ提示情報を送信して、グループ内のすべてのグループメンバーにグループ内に未読の新しいメッセージが存在すると提示するステップと、グループ内のいずれかのグループメンバーの端末が送信した前記新しいメッセージの閲読を要求する閲読要求を受信するステップと、予め設定された規則によって、前記閲読要求を選択して、前記グループメンバーの端末に前記新しいメッセージの表示を許可するかを確定するステップとを含む。【選択図】図２
2017504921.tif 000002
【特許請求の範囲】
【請求項１】
ユーザーがグループ内で新しいメッセージを送信すると、グループ内で新しいメッセージ提示情報を送信するステップと、
前記グループ内のいずれかのグループメンバーの端末が送信した前記新しいメッセージの閲読を要求する閲読要求を受信するステップと、
予め設定されたルールによって、前記閲読要求を選択して、前記グループメンバーの端末に前記新しいメッセージの表示を許可するかを確定するステップとを含み、
前記新しいメッセージ提示情報は、前記グループ内のすべてのグループメンバーに、前記グループ内の未読の新しいメッセージが存在すると提示するものであり、
前記閲読要求は、前記グループメンバーが前記グループメンバーの端末を介してグループチャットのインターフェースに表示される前記新しいメッセージ提示情報によって送信されるものであることを特徴とするインスタントメッセージングの方法。
【請求項２】
予め設定されたルールによって、前記閲読要求を選択して、前記グループメンバーの端末に前記新しいメッセージの表示を許可するかを確定するステップは、
ローカルの選択によって、前記グループメンバーの端末に新しいメッセージの表示を許可するかを確認するステップと、
前記グループメンバーの端末に前記新しいメッセージの表示を許可することが確認されると、前記新しいメッセージを前記グループメンバーの端末に送信するステップと、
前記グループメンバーの端末に前記新しいメッセージの表示を許可しないことが確認されると、拒絶メッセージを前記グループメンバーの端末に送信するステップとを含むことを特徴とする請求項1に記載のインスタントメッセージングの方法。
【請求項３】
前記ローカルの選択によって、前記グループメンバーの端末に新しいメッセージの表示を許可するかを確認するステップは、
前記ユーザーに、前記グループメンバーの端末に前記新しいメッセージの表示を許可するかを問い合わせするステップ、又は
予め設定されたホワイトリスト又はブラックリストを検索し、前記グループメンバーの端末に前記新しいメッセージの表示を許可するかを確認するステップを含むことを特徴とする請求項２に記載のインスタントメッセージングの方法。
【請求項４】
前記グループ内で新しいメッセージ提示情報を送信するステップは、
前記グループ内で１つの予め設定されたフォーマットのコントロールメッセージを送信するステップを含み、
前記コントロールメッセージは、サーバーに指示して、新しいメッセージ提示情報を、前記グループ内のローカルグループメンバー以外の各グループメンバーの現在のグループチャットのインターフェースに送信させるように、設定されていることを特徴とする請求項１に記載のインスタントメッセージングの方法。
【請求項５】
グループ内の第１のグループメンバーの端末が送信した新しいメッセージ提示情報を受信し、前記新しいメッセージ提示情報をグループ内に転送するステップと、
前記グループ内の第２のグループメンバーの端末がグループチャットのインターフェースに表示される前記新しいメッセージ提示情報によって送信される、前記新しいメッセージの閲読を要求する閲読要求を受信し、前記閲読要求を前記第１のグループメンバーの端末に転送するステップと、
前記第１のグループメンバーの端末が前記第２のグループメンバーの端末に新しいメッセージの表示を許可するかを確認した後送信されるメッセージを受信し、前記第２のグループメンバーの端末に転送するステップとを含み、
前記新しいメッセージ提示情報は、前記グループ内のすべてのグループメンバーに前記グループ内の未読の新しいメッセージが存在すると提示するものであることを特徴とするインスタントメッセージングの方法。
【請求項６】
前記第１のグループメンバーの端末が前記第２のグループメンバーの端末に新しいメッセージの表示を許可するかを確認した後送信されるメッセージを受信し、前記第２のグループメンバーの端末に転送するステップは、
前記第１のグループメンバーの端末が前記第２のグループメンバーの端末に新しいメッセージの表示を許可すると確認した後送信される前記新しいメッセージを受信し、前記新しいメッセージを前記第２のグループメンバーの端末に転送するステップ、又は
前記第１のグループメンバーの端末が前記第２のグループメンバーの端末に新しいメッセージの表示を許可しないと確認した後に送信される拒絶メッセージを受信し、前記拒絶メッセージを前記第２のグループメンバーの端末に転送するステップを含むことを特徴とする請求項５に記載のインスタントメッセージングの方法。
【請求項７】
前記グループ内の第１のグループメンバーの端末が送信した新しいメッセージ提示情報を受信し、前記新しいメッセージ提示情報をグループ内に転送するステップは、
前記グループ内の第１のグループメンバーの端末が送信した予め設定されたフォーマットのコントロールメッセージを受信し、前記コントロールメッセージを新しいメッセージ提示情報として、前記グループ内の前記第１のグループメンバー以外の各グループメンバーの現在のグループチャットインターフェースに送信することを特徴と請求項６に記載のインスタントメッセージングの方法。
【請求項８】
ユーザーがグループ内で新しいメッセージを送信すると、グループ内で新しいメッセージ提示情報を送信するメッセージ提示モジュールと、
前記グループ内のいずれかのグループメンバーの端末が送信した前記新しいメッセージの閲読を要求する閲読要求を受信する閲読要求受信モジュールと、
予め設定されたルールによって、前記閲読要求を選択して、前記グループメンバーの端末に前記新しいメッセージの表示を許可するかを確認する確認モジュールとを含み、
前記新しいメッセージ提示情報は、前記グループ内のすべてのグループメンバーに、前記グループ内の未読の新しいメッセージが存在すると提示するものであり、
前記閲読要求は、前記グループメンバーが前記グループメンバーの端末を介してグループチャットのインターフェースに表示される前記新しいメッセージ提示情報によって送信されるものであることを特徴とするインスタントメッセージング装置。
【請求項９】
前記確認モジュールは、
ローカルの選択によって、前記グループメンバーの端末に前記新しいメッセージの表示を許可するかを確認する確認サブモジュールと、
前記確認サブモジュールが、前記グループメンバーの端末に前記新しいメッセージの表示を許可することが確認されると、前記新しいメッセージを前記グループメンバーの端末に送信する第１の送信サブモジュールと、
前記確認サブモジュールが、前記グループメンバーの端末に前記新しいメッセージの表示を許可しないと確認されると、拒絶メッセージを前記グループメンバーの端末に送信する第２の転送サブモジュールとを含むことを特徴とする請求項８に記載のインスタントメッセージング装置。
【請求項１０】
前記確認サブモジュールは、
前記ユーザーに、前記グループメンバーの端末に前記新しいメッセージの表示を許可するかを問い合わせ、又は
予め設定されたホワイトリスト又はブラックリストを検索し、前記グループメンバーの端末に前記新しいメッセージの表示を許可するかを確認するように構成されることを特徴とする請求項９に記載のインスタントメッセージング装置。
【請求項１１】
前記メッセージ提示モジュールは、
ユーザーがグループ内で新しいメッセージを送信すると、グループ内で１つの予め設定されたフォーマットのコントロールメッセージを送信するメッセージ提示サブモジュールを含み、
前記コントロールメッセージは、サーバーに指示して、新しいメッセージ提示情報を、前記グループ内のローカルグループメンバー以外の各グループメンバーの現在のグループチャットのインターフェースに送信させるように設定され、
前記新しいメッセージ提示情報は、前記グループ内のすべてのグループメンバーに、前記グループ内の未読の新しいメッセージが存在すると提示するものであることを特徴とする請求項８に記載のインスタントメッセージング装置。
【請求項１２】
グループ内の第１のグループメンバーの端末が送信した新しいメッセージ提示情報を受信し、前記新しいメッセージ提示情報をグループ内に転送するメッセージ提示モジュールと、
前記グループ内の第２のグループメンバーの端末がグループチャットのインターフェースに表示される前記新しいメッセージ提示情報によって送信される、前記新しいメッセージの閲読を要求する閲読要求を受信し、前記閲読要求を前記第１のグループメンバーの端末に転送する閲読要求転送モジュールと、
前記第１のグループメンバーの端末が前記第２のグループメンバーの端末に前記新しいメッセージの表示を許可するかを確認した後送信されるメッセージを受信し、前記第２のグループメンバーの端末に送信するメッセージ転送モジュールとを含み、 
前記新しいメッセージ提示情報は、前記グループ内のすべてのグループメンバーに、前記グループ内の未読の新しいメッセージが存在すると提示するものであることを特徴とするインスタントメッセージング装置。
【請求項１３】
前記メッセージ転送モジュールは、
前記第１のグループメンバーの端末が前記第２のグループメンバーの端末に新しいメッセージの表示を許可すると確認した後送信される前記新しいメッセージを受信し、前記新しいメッセージを前記第２のグループメンバーの端末に送信する第１の送信サブモジュール、又は
前記第１のグループメンバーの端末が前記第２のグループメンバーの端末に新しいメッセージの表示を許可しないと確認した後に送信される拒絶メッセージを受信し、前記拒絶メッセージを前記第２のグループメンバーの端末に送信する第２の転送サブモジュールを含むことを特徴とする請求項１２に記載のインスタントメッセージング装置。
【請求項１４】
前記メッセージ提示モジュールは、
前記グループ内の第１のグループメンバーの端末が送信した予め設定されたフォーマットのコントロールメッセージを受信し、前記コントロールメッセージを新しいメッセージと見なして、前記グループ内の前記第１のグループメンバー以外の各グループメンバーの現在のインターフェースに送信するメッセージ提示サブモジュールを含み、
前記新しいメッセージ提示情報は、前記グループ内のすべてのグループメンバーにグループ内に未読の新しいメッセージが存在すると提示するものであることを特徴とする請求項１２に記載のインスタントメッセージング装置。
【請求項１５】
プロセッサ及びプロセッサが実行可能なコマンドを記憶するメモリを含み、
ここで、前記プロセッサは、
ユーザーがグループ内で新しいメッセージを送信すると、グループ内で新しいメッセージ提示情報を送信し、
前記グループ内のいずれかのグループメンバーの端末が送信した前記新しいメッセージの閲読を要求する閲読要求を受信し、
予め設定されたルールによって、前記閲読要求を選択して、前記グループメンバーの端末に前記新しいメッセージの表示を許可するかを確認するように構成され、
前記新しいメッセージ提示情報は、前記グループ内のすべてのグループメンバーに、前記グループ内の未読の新しいメッセージが存在すると提示するものであり、
前記閲読要求は、前記グループメンバーが前記グループメンバーの端末を介してグループチャットのインターフェースに表示される前記新しいメッセージ提示情報によって送信されるものであることを特徴とするインスタントメッセージング装置。
【請求項１６】
プロセッサ及びプロセッサが実行可能なコマンドを記憶するメモリを含み、
ここで、前記プロセッサは、
グループ内の第１のグループメンバーの端末が送信した新しいメッセージ提示情報を受信し、前記新しいメッセージ提示情報をグループ内に転送し、
前記グループ内の第２のグループメンバーの端末がグループチャットのインターフェースに表示される前記新しいメッセージ提示情報によって送信される、前記新しいメッセージの閲読を要求する閲読要求を受信し、前記閲読要求を前記第１のグループメンバーの端末に転送し、
前記第１のグループメンバーの端末が前記第２のグループメンバーの端末に新しいメッセージの表示を許可するかを確認した後送信されるメッセージを受信し、前記第２のグループメンバーの端末に送信するように構成され、
前記新しいメッセージ提示情報は、前記グループ内のすべてのグループメンバーに前記グループ内の未読の新しいメッセージが存在すると提示するものであることを特徴とするインスタントメッセージング装置。
【発明の詳細な説明】
【技術分野】
【０００１】
本発明は、通信分野に関し、より詳細には、インスタントメッセージング方法及び装置に関する。
【背景技術】
【０００２】
チャットソフトウェアにおいて、グループは、複数の人がチャットを介して交流するためのツールである。グループマスタは、グループを作成した後、友人や共通の興味を持っている人々を要請して、グループでチャットする。グループ内の一人のメンバーがグループで送信したメッセージは、当該グループの他のすべてのメンバーが受信することができ、マルチチャットが非常に便利になる。しかし、チャットソフトウェア普及につれて、グループが絶え間無く発展し、以下のような望みがすでに出ている。即ち、一人のメンバーがグループ内で送信したメッセージが、すべてのメンバーが受信することを望まず、ただ一部のメンバーのみが受信すればよい。
【０００３】
このような要求に対応して、現在の一般的な処理方法は、新しいグループを作成したり、現在のグループで新しいトピックを選んで、交流しようとする一部のメンバーを新しいグループ又は新しいトピックに引き込んだりして、一部のメンバーとのグループチャットを実現する。ただし、当該方法は、新しいグループを作成したり、新しいトピックを作成したりして、また、交流しようとするメンバーを一つずつ要請しなければならないため、操作が複雑で、また、新たに生成されたグループが使用しない場合、余分のグループになってしまい、リソースを無駄にすることになる。
【発明の概要】
【０００４】
上記問題を鑑みて、本発明は、グループ内の一部のメンバーとインスタントメッセージングするとき、操作の複雑さを減少させてリソースを無駄にすることを避けることができるインスタントメッセージング方法及び装置を提供する。
【０００５】
本発明の第１の実施例では、
ユーザーがグループ内で新しいメッセージを送信すると、グループ内で新しいメッセージ提示情報を送信するステップと、
前記グループ内のいずれかのグループメンバーの端末が送信した前記新しいメッセージの閲読を要求する閲読要求を受信するステップと、
予め設定されたルールによって、前記閲読要求を選択して、前記グループメンバーの端末に前記新しいメッセージの表示を許可するかを確定するステップとを含み、
前記新しいメッセージ提示情報は、前記グループ内のすべてのグループメンバーに、前記グループ内の未読の新しいメッセージが存在すると提示し、
前記閲読要求は、前記グループメンバーが前記グループメンバーの端末を介してグループチャットのインターフェースに表示される前記新しいメッセージ提示情報によって送信されることを特徴とするインスタントメッセージングの方法を提供する。
【０００６】
好ましくは、予め設定されたルールによって、前記閲読要求を選択して、前記グループメンバーの端末に前記新しいメッセージの表示を許可するかを確定するステップは、
ローカルの選択によって、前記グループメンバーの端末に新しいメッセージの表示を許可するかを確認するステップと、
前記グループメンバーの端末に前記新しいメッセージの表示を許可することが確認されると、前記新しいメッセージを前記グループメンバーの端末に送信するステップと、
前記グループメンバーの端末に前記新しいメッセージの表示を許可しないと確認されると、拒絶メッセージを前記グループメンバーの端末に送信するステップとを含む。
【０００７】
好ましくは、前記ローカルの選択によって、前記グループメンバーの端末に新しいメッセージの表示を許可するかを確認するステップは、
前記ユーザーに、前記グループメンバーの端末に前記新しいメッセージの表示を許可するかを問い合わせするステップ、又は
予め設定されたホワイトリスト又はブラックリストを検索し、前記グループメンバーの端末に前記新しいメッセージの表示を許可するかを確認するステップを含む。
【０００８】
好ましくは、前記グループ内で新しいメッセージ提示情報を送信するステップは、
前記グループ内で１つの予め設定されたフォーマットのコントロールメッセージを送信するステップを含み、
前記コントロールメッセージは、サーバーに指示して、新しいメッセージ提示情報を、前記グループ内のローカルグループメンバー以外の各グループメンバーの現在のグループチャットのインターフェースに送信させるように、設定されている。
【０００９】
本発明の第２の実施例では、
グループ内の第１のグループメンバーの端末が送信した新しいメッセージ提示情報を受信し、前記新しいメッセージ提示情報をグループ内に転送するステップと、
前記グループ内の第２のグループメンバーの端末がグループチャットのインターフェースに表示される前記新しいメッセージ提示情報によって送信される、前記新しいメッセージの閲読を要求する閲読要求を受信し、前記閲読要求を前記第１のグループメンバーの端末に転送するステップと、
前記第１のグループメンバーの端末が前記第２のグループメンバーの端末に新しいメッセージの表示を許可するかを確認した後送信されるメッセージを受信し、前記第２のグループメンバーの端末に転送するステップとを含み、
前記新しいメッセージ提示情報は、前記グループ内のすべてのグループメンバーに前記グループ内の未読の新しいメッセージが存在すると提示することを特徴とするインスタントメッセージングの方法を提供する。
【００１０】
好ましくは、前記第１のグループメンバーの端末が前記第２のグループメンバーの端末に新しいメッセージの表示を許可するかを確認した後送信されるメッセージを受信し、前記第２のグループメンバーの端末に転送するステップは、
前記第１のグループメンバーの端末が前記第２のグループメンバーの端末に新しいメッセージの表示を許可すると確認した後送信される前記新しいメッセージを受信し、前記新しいメッセージを前記第２のグループメンバーの端末に転送するステップ、又は
前記第１のグループメンバーの端末が前記第２のグループメンバーの端末に新しいメッセージの表示を許可しないと確認した後に送信される拒絶メッセージを受信し、前記拒絶メッセージを前記第２のグループメンバーの端末に転送するステップを含む。
【００１１】
好ましくは、前記グループ内の第１のグループメンバーの端末が送信した新しいメッセージ提示情報を受信し、前記新しいメッセージ提示情報をグループ内に転送するステップは、
前記グループ内の第１のグループメンバーの端末が送信した予め設定されたフォーマットのコントロールメッセージを受信し、前記コントロールメッセージを新しいメッセージ提示情報として、前記グループ内の前記第１のグループメンバー以外の各グループメンバーの現在のグループチャットインターフェースに送信する。
【００１２】
本発明の第３の実施例では、
ユーザーがグループ内で新しいメッセージを送信すると、グループ内で新しいメッセージ提示情報を送信するメッセージ提示モジュールと、
前記グループ内のいずれかのグループメンバーの端末が送信した前記新しいメッセージの閲読を要求する閲読要求を受信する閲読要求受信モジュールと、
予め設定されたルールによって、前記閲読要求を選択して、前記グループメンバーの端末に前記新しいメッセージの表示を許可するかを確認する確認モジュールとを含み、
前記新しいメッセージ提示情報は、前記グループ内のすべてのグループメンバーに、前記グループ内の未読の新しいメッセージが存在すると提示し、
前記閲読要求は、前記グループメンバーが前記グループメンバーの端末を介してグループチャットのインターフェースに表示される前記新しいメッセージ提示情報によって送信されることを特徴とするインスタントメッセージング装置を提供する。
【００１３】
好ましくは、前記確認モジュールは、
ローカルの選択によって、前記グループメンバーの端末に前記新しいメッセージの表示を許可するかを確認する確認サブモジュールと、
前記確認サブモジュールが、前記グループメンバーの端末に前記新しいメッセージの表示を許可することが確認されると、前記新しいメッセージを前記グループメンバーの端末に送信する第１の送信サブモジュールと、
前記確認サブモジュールが、前記グループメンバーの端末に前記新しいメッセージの表示を許可しないと確認されると、拒絶メッセージを前記グループメンバーの端末に送信する第２の転送サブモジュールとを含む。
【００１４】
好ましくは、前記確認サブモジュールは、
前記ユーザーに、前記グループメンバーの端末に前記新しいメッセージの表示を許可するかを問い合わせ、又は
予め設定されたホワイトリスト又はブラックリストを検索し、前記グループメンバーの端末に前記新しいメッセージの表示を許可するかを確認するように構成される。
【００１５】
好ましくは、前記メッセージ提示モジュールは、
ユーザーがグループ内で新しいメッセージを送信すると、グループ内で１つの予め設定されたフォーマットのコントロールメッセージを送信するメッセージ提示サブモジュールを含み、
前記コントロールメッセージは、サーバーに指示して、新しいメッセージ提示情報を、前記グループ内のローカルグループメンバー以外の各グループメンバーの現在のグループチャットのインターフェースに送信させるように、設定され、
前記新しいメッセージ提示情報は、前記グループ内のすべてのグループメンバーに、前記グループ内の未読の新しいメッセージが存在すると提示する。
【００１６】
本発明の第４の実施例では、
グループ内の第１のグループメンバーの端末が送信した新しいメッセージ提示情報を受信し、前記新しいメッセージ提示情報をグループ内に転送するメッセージ提示モジュールと、
前記グループ内の第２のグループメンバーの端末がグループチャットのインターフェースに表示される前記新しいメッセージ提示情報によって送信される、前記新しいメッセージの閲読を要求する閲読要求を受信し、前記閲読要求を前記第１のグループメンバーの端末に転送する閲読要求転送モジュールと、
前記第１のグループメンバーの端末が前記第２のグループメンバーの端末に前記新しいメッセージの表示を許可するかを確認した後送信されるメッセージを受信し、前記第２のグループメンバーの端末に送信するメッセージ転送モジュールとを含み、 
前記新しいメッセージ提示情報は、前記グループ内のすべてのグループメンバーに、前記グループ内の未読の新しいメッセージが存在すると提示することを特徴とするインスタントメッセージング装置を提供する。
【００１７】
好ましくは、前記メッセージ転送モジュールは、
前記第１のグループメンバーの端末が前記第２のグループメンバーの端末に新しいメッセージの表示を許可すると確認した後送信される前記新しいメッセージを受信し、前記新しいメッセージを前記第２のグループメンバーの端末に送信する第１の送信サブモジュール、又は
前記第１のグループメンバーの端末が前記第２のグループメンバーの端末に新しいメッセージの表示を許可しないと確認した後に送信される拒絶メッセージを受信し、前記拒絶メッセージを前記第２のグループメンバーの端末に送信する第２の転送サブモジュールを含む。
【００１８】
好ましくは、前記メッセージ提示モジュールは、
前記グループ内の第１のグループメンバーの端末が送信した予め設定されたフォーマットのコントロールメッセージを受信し、前記コントロールメッセージを新しいメッセージと見なして、前記グループ内の前記第１のグループメンバー以外の各グループメンバーの現在のインターフェースに送信するメッセージ提示サブモジュールを含み、
前記新しいメッセージ提示情報は、前記グループ内のすべてのグループメンバーにグループ内に未読の新しいメッセージが存在すると提示する。
【００１９】
本発明の第５の実施例では、
プロセッサ及びプロセッサが実行可能なコマンドを記憶するメモリを含み、
ここで、前記プロセッサは、
ユーザーがグループ内で新しいメッセージを送信すると、グループ内で新しいメッセージ提示情報を送信し、
前記グループ内のいずれかのグループメンバーの端末が送信した前記新しいメッセージの閲読を要求する閲読要求を受信し、
予め設定されたルールによって、前記閲読要求を選択して、前記グループメンバーの端末に前記新しいメッセージの表示を許可するかを確認するように構成され、
前記新しいメッセージ提示情報は、前記グループ内のすべてのグループメンバーに、前記グループ内の未読の新しいメッセージが存在すると提示し、
前記閲読要求は、前記グループメンバーが前記グループメンバーの端末を介してグループチャットのインターフェースに表示される前記新しいメッセージ提示情報によって送信されることを特徴とするインスタントメッセージング装置を提供する。
【００２０】
本発明の第６の実施例では、
プロセッサ及びプロセッサが実行可能なコマンドを記憶するメモリを含み、
ここで、前記プロセッサは、
グループ内の第１のグループメンバーの端末が送信した新しいメッセージ提示情報を受信し、前記新しいメッセージ提示情報をグループ内に転送し、
前記グループ内の第２のグループメンバーの端末がグループチャットのインターフェースに表示される前記新しいメッセージ提示情報によって送信される、前記新しいメッセージの閲読を要求する閲読要求を受信し、前記閲読要求を前記第１のグループメンバーの端末に転送し、
前記第１のグループメンバーの端末が前記第２のグループメンバーの端末に新しいメッセージの表示を許可するかを確認した後送信されるメッセージを受信し、前記第２のグループメンバーの端末に送信するように構成され、
前記新しいメッセージ提示情報は、前記グループ内のすべてのグループメンバーに前記グループ内の未読の新しいメッセージが存在すると提示することを特徴とするインスタントメッセージング装置を提供する。
【発明の効果】
【００２１】
本発明の実施例を示した技術的な解決手段によると、グループ内で新しいメッセージ提示情報を送信して、グループ内の未読の新しいメッセージが存在すると提示し、前記グループ内のいずれかのグループメンバーの端末がグループチャットのインターフェースに表示される、前記新しいメッセージ提示情報によって送信される閲読要求を受信し、予め設定された規則によって、前記閲読要求を選択して、前記グループメンバーの端末に前記新しいメッセージの表示を許可するかを確定する。これによって、グループ内で、選択的なグループチャットが可能になり、グループ内のそれぞれのグループメンバーの閲読権限を正確にコントロールすることができ、新しいグループや新しいトピックを作成しなくても、一部のグループメンバーとチャットをすることができ、メッセージのプライバシーやセキュリティを保証でき、操作の複雑さを大幅に減少でき、グループチャットの面白さを向上させ、グループチャットの活躍性を向上させ、ユーザーの体験を向上させるとの有益な効果を獲得できる。
【００２２】
なお、上述した一般的な説明及び後述は単に例示的で説明であるだけで、本発明を制限するものではない。
【００２３】
ここで、添付されている図面は明細書に含まれ、その一部を構成し、本発明に合致する実施例を図示しつつ、明細書とともに本発明の原理を説明する。
【図面の簡単な説明】
【００２４】
【図１】一実施形態に係るインスタントメッセージングのシーンを示す説明図である。
【図２】他の一実施形態に係るインスタントメッセージングの方法を示すフローチャートである。
【図３】他の一実施形態に係るインスタントメッセージングの方法を示すフローチャートである。
【図４】他の一実施形態に係るインスタントメッセージングの方法を示すフローチャートである。
【図５】他の一実施形態に係るインスタントメッセージングの方法を示すフローチャートである。
【図６】他の一実施形態に係るインスタントメッセージングの方法を示すフローチャートである。
【図７】他の一実施形態に係るインスタントメッセージングの方法を示すフローチャートである。
【図８】他の一実施形態に係るインスタントメッセージング装置を示すブロック図である。
【図９】他の一実施形態に係るインスタントメッセージング装置を示すブロック図である。
【図１０】他の一実施形態に係るインスタントメッセージング装置を示すブロック図である。
【図１１】他の一実施形態に係るインスタントメッセージング装置を示すブロック図である。
【図１２】他の一実施形態に係るインスタントメッセージング装置を示すブロック図である。
【図１３】他の一実施形態に係るインスタントメッセージング装置を示すブロック図である。
【図１４】他の一実施形態に係るインスタントメッセージング装置を示すブロック図である。
【図１５】他の一実施形態に係るインスタントメッセージング装置を示すブロック図である。
【図１６】他の一実施形態に係るインスタントメッセージング装置を示すブロック図である。
【図１７】他の一実施形態に係るインスタントメッセージング装置を示すブロック図である。
【発明を実施するための形態】
【００２５】
ここで、例示的な実施例について詳細に説明して、その例を図面に表示する。以下の記載が図面に関連されたとき、他の表示がない場合は、異なる図面の同じ番号は同じ又は同様の要素を示す。下記の例示的な実施形態に記載した実施例は、本発明と一致したすべての実施例を表すものではない。逆に、実施例は、単に、添付された特許請求の範囲に記載した本発明のいくつかの方面と一致した装置及び方法の例である。
【００２６】
本発明の実施例は、インスタントメッセージングの方法及び装置に関するものであり、グループチャットのシーンに応用される。シーンは、図１に示されたアーキテクチャを含んでもよい。ここで、アーキテクチャは、サーバー及び複数の端末を含み、図面では、４つの端末を例に挙げて説明する。前記端末１〜端末４は、それぞれ、コンピュータ、ラップトップ、携帯電話、及びタブレットＰＣであり、本発明中の端末は、いずれかのタイプの端末であってもよいので、これに対して限定しない。前記端末及びサーバーの両方に、インスタントメッセージングソフトウェアをインストールして、そのインスタントメッセージングソフトウェアを介して、インスタントメッセージをやり取りすることができる。図１の４つの端末のユーザーは、同一のグループに位置し、ここでいずれかのユーザーがグループチャットを開始して、他のユーザーとインスタントメッセージングをやり取りすることができる。本発明の実施例は、前記インスタントメッセージング方法及び装置を介して、グループ内の一部のメンバーとインスタントメッセージングのやり取りを実現することができる。以下、これについて詳細に詳述する。
【００２７】
図２は、他の一実施形態に係るインスタントメッセージングの方法を示すフローチャートであり、図２に示すように、その方法は、端末に適用され、下記のようなステップを含む。
【００２８】
ステップＳ２１：ユーザーがグループ内で新しいメッセージを送信すると、グループ内で新しいメッセージ提示情報を送信する。当該新しいメッセージ提示情報は、グループ内のすべてのグループメンバーにグループ内に未読のメッセージが存在すると提示する。
【００２９】
ここで、前記新しいメッセージ提示情報は、さまざまな表現形式を有することができる。例えば、グループチャットインターフェースに、アイコン、ボタン、又は、リンクなどが表示することができる。本実施例では、これに対して具体的に限定しない。ユーザーは、新しいメッセージ提示情報をクリックして、閲読要求を送信する行為を引き起こす（trigger）ことができる。なお、当該新しいメッセージ提示情報には、メッセージの実体内容が含まれず、当該新しいメッセージ提示情報は、グループ内のユーザー以外のすべてのメンバーが受信することができる。
【００３０】
ステップＳ２２：当該グループ内のいずれかのグループメンバーの端末が送信した当該新しいメッセージの閲読を要求する閲読要求を受信する。当該閲読要求は、当該グループメンバーが当該グループメンバーの端末を介してグループチャットのインターフェースに表示される新しいメッセージ提示情報によって送信されるものである。
【００３１】
ステップＳ２３：予め設定されたルールによって、当該閲読要求を選択して、当該グループメンバーの端末に当該新しいメッセージの表示を許可するかを確定する。
【００３２】
ここで、前記新しいメッセージは、ローカルの前記ユーザーが送信しようとするメッセージであり、メッセージの実体内容を含み、当該ユーザーは、グループ内のすべてのメンバーがそのメッセージを受信することを望まないので、閲読要求を介して確認する方式を採用して、一部のグループメンバーがそのメッセージを受信することを選択的に可能にする。
【００３３】
本実施例において、好ましくは、予め設定されたルールによって、当該閲読要求を選択して、当該グループメンバーの端末に当該新しいメッセージの表示を許可するかを確定するステップは、
ローカルの選択によって、当該グループメンバーの端末が当該新しいメッセージの表示を許可するかを確認するステップと、
当該グループメンバーの端末に当該新しいメッセージの表示を許可することが確認されると、当該新しいメッセージを当該グループメンバーの端末に送信するステップと、
当該グループメンバーの端末に当該新しいメッセージの表示を許可しないことが確認されると、拒絶メッセージを、当該グループメンバーの端末に送信するステップとを含むことができる。
【００３４】
本実施例において、好ましくは、前記ローカルの選択によって、当該グループメンバーの端末が当該新しいメッセージの表示を許可するかを確認するステップは、
ユーザーに、当該グループメンバーの端末に該当新しいメッセージの表示を許可するかを問い合わせするステップ、又は、予め設定されたホワイトリスト又はブラックリストを検索して、当該グループメンバーの端末に新しいメッセージの表示を許可するかを確認するステップを含む。
【００３５】
本実施例において、好ましくは、前記グループ内で新しいメッセージ提示情報を送信するステップは、
グループ内で１つの予め設定されたフォーマットのコントロールメッセージを送信するステップを含む。コントロールメッセージは、サーバーに指示して、新しいメッセージ提示情報を、当該グループのローカルグループメンバー以外の各グループメンバーの現在のグループチャットのインターフェースに送信させるように、設定されている。
【００３６】
本発明の実施例を示した方法は、上述したステップを経て、グループ内での選択性になり、グループチャットをすることができ、グループ内のそれぞれのグループメンバーの閲読権限を正確にコントロールすることができ、新しいグループや新しいトピックを作成しなくても、一部のグループメンバーとチャットをすることができる。そのため、メッセージのプライバシーやセキュリティを保証でき、操作の複雑さが大幅に減少でき、グループチャットの面白さを向上させ、グループチャットの活躍を向上させ、ユーザーの体験を向上させる有益な効果を獲得することができる。
【００３７】
図３は、他の一実施形態に係るインスタントメッセージングの方法を示すフローチャートであり、図３に示すように、その方法は端末に適用され、下記のようなステップを含む。
【００３８】
ステップＳ３１：ユーザーがグループ内で新しいメッセージを送信すると、グループ内で新しいメッセージ提示情報を送信する。当該新しいメッセージ提示情報は、グループ内のすべてのグループメンバーにグループ内に未読のメッセージが存在すると提示する。
【００３９】
ステップＳ３２：当該グループ内のいずれかのグループメンバーの端末が送信した、当該新しいメッセージの閲読を要求する閲読要求を受信する。当該閲読要求は、当該グループメンバーが当該グループメンバーの端末を介してグループチャットのインターフェースに表示される新しいメッセージ提示情報によって送信されるものである。
【００４０】
ステップＳ３３：ローカルの選択によって、当該グループメンバーの端末に新しいメッセージの表示を許可するかを確認し、当該グループメンバーの端末に新しいメッセージの表示を許可することが確認されると、ステップＳ３４を実行し、当該グループメンバーの端末に新しいメッセージの表示を許可しないことが確認されると、ステップＳ３５を実行する。
【００４１】
ここで、ステップ３３は下記のようなステップを含む。
【００４２】
ユーザーに、当該グループメンバーの端末に新しいメッセージの表示を許可するかを問い合わせするステップ、又は、予め設定されたホワイトリスト又はブラックリストを検索して、当該グループメンバーの端末に新しいメッセージの表示を許可するかを確認するステップを含むことができる。
【００４３】
ここで、ユーザーに、当該グループメンバーの端末に新しいメッセージの表示を許可するかを問い合わせするステップは、グループチャットインターフェースに「ＸＸグループメンバーがメッセージの閲読を要請する」を表示して、「同意」ボタン及び 「拒絶」ボタンを提供されて、ユーザーが選択できるようにし、もしユーザーが「同意」ボタンをクリックすると、当該グループメンバーの端末に新しいメッセージの表示を許可すると確認され、もしユーザーが「拒絶」ボタンをクリックすると、当該グループメンバーの端末に当該新しいメッセージの表示を許可しないと確認される。
【００４４】
前記ホワイトリストは、メッセージを閲読する権限を有するグループメンバーのリストであり、そのホワイトリストを検索するときに、もしグループメンバーがそのホワイトリスト内にある場合、当該グループメンバーは、メッセージを閲読する権限を具備し、もしグループメンバーがそのホワイトリスト内にない場合、当該グループメンバーは、メッセージを閲読した権限を備えない。
【００４５】
前記ブラックリストは、メッセージを閲読する権限を有しないグループメンバーリストであり、そのブラックリストを検索するときに、もしグループメンバーがそのブラックリスト内にある場合、当該グループメンバーは、メッセージを閲読する権限を備えず、もしグループメンバーがそのブラックリスト内にない場合、当該グループメンバーは、メッセージを閲読する権限を有する。
【００４６】
ステップＳ３４：当該新しいメッセージを当該グループメンバーの端末に送信してプロセスを終了する。
【００４７】
当該新しいメッセージは、メッセージの実体内容を含み、当該グループメンバーは、受信した後、その実体内容を検索することができる。
【００４８】
ステップＳ３５：拒絶メッセンジャーを当該グループメンバーの端末に送信してプロセスを終了する。
【００４９】
ここで、送信された拒絶メッセージは、当該グループメンバーのグループチャットインターフェースに表示され、当該グループメンバーは、前記新しいメッセージを受信しなくなり、グループメンバーの閲読権限の正確な制御を成し遂げて、グループ内の一部のグループメンバーとグループチャットする目的を達成することができる。
【００５０】
本実施例が提供する前記方法は、上述したステップを経て、グループ内で選択的にグループチャットをすることができ、グループ内のそれぞれのグループメンバーの閲読権限を正確にコントロールすることができ、新しいグループや新しいトピックを作成してなくても、一部のグループメンバーとグループチャットをすることができ、メッセージのプライバシーやセキュリティを保証して、操作の複雑さが大幅に減少され、グループチャットの面白さを向上させ、グループチャットの活性化の度合いを向上させ、ユーザーの体験を向上させることができる。
【００５１】
図４は、他の一実施形態に係るインスタントメッセージングの方法を示すフローチャートであり、図４で示すように、その方法は端末に使用され、下記のようなステップを含む。
【００５２】
ステップＳ４１：グループ内で一つの予め設定されたフォーマットのコントロールメッセージを送信する。そのコントロールメッセージは、サーバーに指示して、新しいメッセージ提示情報を、グループ内でのローカルグループメンバー以外の各グループメンバーの現在のグループチャットのインターフェースに送信させるように、設定されている。また、当該新しいメッセージ提示情報は、前記グループ内のすべてのグループメンバーに前記グループに未読の新しいメッセージが存在すると提示する。
【００５３】
ここで、サーバーは、コントロールメッセージを新しいメッセージ提示情報とみなされ、グループに送信することができる。好ましくは、そのコントロールメッセージの予め設定されたフォーマットは、内容が空であり、即ちメッセージの実体内容が含まない。よって、提示及び確認の目的を達成することができる。なお、そのコントロールメッセージは、真の送信待機中の前記新しいメッセージではない。
【００５４】
ステップＳ４２：当該グループ内のいずれかのグループメンバーの端末が送信した、当該新しいメッセージの閲読を要求する閲読要求を受信する。閲読要求は、当該グループメンバーが当該グループメンバーの端末を介してグループチャットのインターフェースに表示される新しいメッセージ提示情報によって送信されるものである。
【００５５】
ステップＳ４３：予め設定されたルールによって、当該閲読要求を選択して、当該グループメンバーの端末に当該新しいメッセージの表示を許可するかを確定する。
【００５６】
本実施例が提供する前記方法は、上述したステップを経て、グループ内で選択的にグループチャットをすることができ、グループ内のそれぞれのグループメンバーの閲読権限を正確にコントロールすることができ、新しいグループや新しいトピックを作成してなくても、一部のグループメンバーとグループチャットをすることができ、メッセージのプライバシーやセキュリティを保証して、操作の複雑さが大幅に減少され、グループチャットの面白さを向上させ、グループチャットの活性化の度合いを向上させ、ユーザーの体験を向上させることができる。
【００５７】
図５は、他の一実施形態に係るインスタントメッセージングの方法を示すフローチャートであり、図５に示すように、その方法は、サーバーに適用され、下記のようなステップを含む。
【００５８】
ステップＳ５１：グループ内で第１のグループメンバーの端末が送信した新しいメッセージ提示情報を受信し、当該新しいメッセージ提示情報をグループ内で転送する。当該新しいメッセージ提示情報は、グループ内のすべてのグループメンバーに、グループ内に未読の新しいメッセージが存在すると提示するものである。
【００５９】
ステップＳ５２：当該グループ内で第２のグループメンバーの端末がグループチャットのインターフェースに表示される新しいメッセージ提示情報によって送信される当該新しいメッセージの閲読を要求する閲読要求を受信し、その閲読要求を第１のグループメンバーの端末に転送する。
【００６０】
ここで、当該第２のグループメンバーは、そのグループ内で前記第１のグループメンバー以外のいずれかのグループメンバーであり、ここで、これに対して限定されるものでない。その第２のグループメンバーは、自分のグループチャットインターフェースで、新しいメッセージ提示情報をクリックすることで、その第１のグループメンバーに閲読要求を送信する行為を引き起こす（trigger）。サーバーは、その閲読要求メッセージを、その第１のグループメンバーに転送する。
【００６１】
ステップＳ５３：当該第１のグループメンバーの端末が第２のグループメンバーの端末に新しいメッセージの表示を許可するかを確認した後送信されるメッセージを受信し、第２のグループメンバーの端末に転送する。
【００６２】
本実施例において、好ましくは、その第１のグループメンバーの端末がその第２のグループメンバーの端末に新しいメッセージの表示を許可するかを確認した後送信されるメッセージを受信し、その第２のグループメンバーの端末に転送するステップは、
その第１のグループメンバーの端末は、第２のグループメンバーの端末に当該新しいメッセージの表示を許可すると確認した後に送信された新しいメッセージを受信して、当該新しいメッセージをその第２のグループメンバーの端末に送信するステップ、又は、
その第１のグループメンバーの端末は、第２のグループメンバーの端末に当該新しいメッセージの表示を許可しないと確認した後に送信される拒絶メッセージを受信し、その拒絶メッセージを、その第２のグループメンバーの端末に送信するステップを含むことができる。
【００６３】
本実施例において、好ましくは、グループ内で第１のグループメンバーの端末が送信した新しいメッセージ提示情報を受信し、新しいメッセージ提示情報をグループ内に転送するステップは、
グループ内で第１のグループメンバーの端末が送信する予め設定されたフォーマットのコントロールメッセージを受信し、そのコントロールメッセージを新しいメッセージ提示情報として、そのグループ内で第１のグループメンバー以外の各グループメンバーの現在のインターフェースに送信される。例えば、予め設定されたフォーマットは内容が空のメッセージ、又は内容が予め定められた固有の内容が盛り込まれたメッセージであることができる。例えば、「そのメッセージの閲読権限は確認中」などで、インスタントメッセージングソフトウェアは、コントロールメッセージのフォーマットを予め定めることができ、本実施例では、これに対して限定しない。
【００６４】
本実施例が提供する前記方法は、上述したステップを経て、グループ内で選択的にグループチャットをすることができ、グループ内のそれぞれのグループメンバーの閲読権限を正確にコントロールすることができ、新しいグループや新しいトピックを作成してなくても、一部のグループメンバーとのグループチャットをすることができ、メッセージのプライバシーやセキュリティを保証して、操作の複雑さが大幅に減少され、グループチャットの面白さを向上させ、グループチャットの活性化の度合いを向上させ、ユーザーの体験を向上させることができる。
【００６５】
図６は、他の一実施形態に係るインスタントメッセージングの方法を示すフローチャートであり、図６で示すように、その方法は、サーバーで適用され、下記のようなステップを含む。
【００６６】
ステップＳ６１：グループ内で第１のグループメンバーが送信した新しいメッセージ提示情報を受信し、当該新しいメッセージ提示情報をグループ内に転送する。当該新しいメッセージ提示情報は、そのグループのすべてのグループメンバーに、そのグループ内に未読の新しいメッセージが存在すると提示する。
【００６７】
ステップＳ６２：当該グループ内で第２のグループメンバーの端末がグループチャットインターフェースに表示される新しいメッセージ提示情報によって送信される当該新しいメッセージの閲読を要求する閲読要求を受信し、当該閲読要求を第１のグループメンバーの端末に転送する。
【００６８】
ステップＳ６３：当該第１のグループメンバーの端末が第２のグループメンバーの端末に新しいメッセージの表示を許可すると確認した後送信される新しいメッセージを受信し、当該新しいメッセージをその第２のグループメンバーの端末に転送し、又は当該第１のグループメンバーの端末が第２のグループメンバーの端末に新しいメッセージの表示を許可しないと確認した後送信される拒絶メッセージを受信し、その拒絶メッセージを第２のグループメンバーの端末に転送する。
【００６９】
ここで、それぞれの閲読要求を送信したグループメンバーに対して、第１のグループメンバーは、自分の要求によって閲読権限をコントロールすることができ、メッセージの閲読を許可すると確認したり、メッセージの閲読を許可しないことを確認したりして、一部のグループメンバーと必要に応じて、グループチャットをすることができる。
【００７０】
本実施例が提供する前記方法は、上述したステップを経て、グループ内で選択的にグループチャットをすることができ、グループ内のそれぞれのグループメンバーの閲読権限を正確にコントロールすることができ、新しいグループや新しいトピックを作成してなくても、一部のグループメンバーとグループチャットをすることができ、メッセージのプライバシーやセキュリティを保証して、操作の複雑さが大幅に減少され、グループチャットの面白さを向上させ、グループチャットの活性化の度合いを向上させ、ユーザーの体験を向上させることができる。
【００７１】
図７は、他の一実施形態に係るインスタントメッセージングの方法を示すフローチャートであり、図７に示すように、その方法は、サーバーに適用され、下記のようなステップを含む。
【００７２】
ステップＳ７１：グループ内の第１のグループメンバーの端末が送信する予め設定されたフォーマットのコントロールメッセージを受信し、そのコントロールメッセージを新しいメッセージ提示情報としてグループ内での１のグループメンバー以外の各グループメンバーの現在のインターフェースに送信する。当該新しいメッセージ提示情報は、そのグループ内に未読の新しいメッセージが存在すると提示する。
【００７３】
ここで、前記新しいメッセージ提示情報は、さまざまな表現形式がある。例えば、封筒と同じような形式のアイコン、ボタン、又は、リンク等であり、本実施例は、ここに対して具体的な制限をしない。
【００７４】
ステップＳ７２：グループ内で第２のグループメンバーの端末がグループチャットインターフェースに表示される新しいメッセージ提示情報によって送信される当該新しいメッセージの閲読を要求する閲読要求を受信し、その閲読要求を第１のグループメンバーの端末に転送する。
【００７５】
ステップＳ７３：第１のグループメンバーの端末が第２のグループメンバーの端末に新しいメッセージの表示を許可するかを確認した後送信されるメッセージを受信し、第２のグループメンバーの端末に転送する。
【００７６】
ここで、当該第１のグループメンバーが送信したメッセージは、当該新しいメッセージであることもあり、拒否メッセージであることもあり、サーバーはこれを第２のグループメンバーに送信して、第２のグループメンバーの閲読権限を制御する。
【００７７】
本実施例が提供する前記方法は、上述したステップを経て、グループ内で選択的にグループチャットをすることができ、グループ内のそれぞれのグループメンバーの閲読権限を正確にコントロールすることができ、新しいグループや新しいトピックを作成してなくても、一部のグループメンバーとのグループチャットを実現することができており、メッセージのプライバシーやセキュリティを保証して、操作の複雑さが大幅に減少され、グループチャットの面白さを向上させ、グループチャットの活性化の度合いを向上させ、ユーザーの体験を向上させることができる。
【００７８】
図８は、他の一実施形態に係るインスタントメッセージング装置を示すブロック図である。図８を参考にすれば、当該装置は、メッセージ提示モジュール１２１、閲読要求受信モジュール１２２及び確認モジュール１２３を含む。
【００７９】
メッセージ提示モジュール１２１は、ユーザーがグループ内で新しいメッセージを送信すると、グループ内で新しいメッセージ提示情報を送信するように構成される。当該新しいメッセージ提示情報は、そのグループ内のすべてのグループメンバーに、グループ内に未読の新しいメッセージが存在すると提示する。
【００８０】
閲読要求受信モジュール１２２は、当該グループ内のいずれかのメンバーの端末が送信した新しいメッセージの閲読を要求する閲読要求を受信するように構成される。その閲読要求は、当該グループメンバーが当該グループメンバーの端末を介してグループチャットのインターフェースに表示される当該新しいメッセージ提示情報によって送信されるものである。
【００８１】
確認モジュール１２３は、予め設定されたルールによって、当該閲読要求を選択して、当該グループメンバーの端末に当該新しいメッセージの表示を許可するかを確認するように構成される。
【００８２】
図９を参照すると、本実施例において、好ましくは、確認モジュール１２３は、確認サブモジュール１２３a、第１の送信サブモジュール１２３b及び第２の送信のサブモジュール１２３cを含むことができる。
【００８３】
確認サブモジュール１２３aは、ローカルの選択によって、当該グループメンバーの端末に新しいメッセージの表示を許可するかを確認するように構成される。
【００８４】
第１の送信サブモジュール１２３bは、確認サブモジュールが当該グループメンバーの端末に新しいメッセージの表示を許可することが確認されると、当該新しいメッセージを当該グループメンバーの端末に送信するように構成される。
【００８５】
第２の送信のサブモジュール１２３cは、確認サブモジュールが当該グループメンバーの端末に新しいメッセージの表示を許可しないことが確認されると、拒絶メッセージを、当該グループメンバーの端末に送信するように構成される。
【００８６】
本実施例において、好ましくは、確認サブモジュール１２３aは、ユーザーに、当該グループメンバーの端末に新しいメッセージの表示を許可するかを問い合わせ、又は予め設定されたホワイトリスト又はブラックリストを検索して当該グループメンバーの端末に新しいメッセージの表示を許可するかを確認するように構成される。
【００８７】
図１０を参照すると、好ましくは、当該メッセージ提示モジュール１２１は、
ユーザーがグループ内で新しいメッセージを送信すると、グループ内で１つの予め設定されたフォーマットのコントロールメッセージを送信するように構成されたメッセージ提示サブモジュール１２１aを含む。当該コントロールメッセージは、サーバーに指示して、新しいメッセージをグループ内でのローカルグループメンバー以外の、それぞれのグループメンバーの現在のグループチャットのインターフェースに送信するように設定されるものであり、当該新しいメッセージの指示情報は、そのグループのすべてのグループメンバーに、そのグループ内に未読の新しいメッセージが存在すると提示するものである。
【００８８】
前記実施例の装置について、それぞれのモジュールが操作を実行する具体的な方法は、関連する方法の実施例で詳細に記述したので、ここで詳細に説明しない。
【００８９】
本実施例による前記装置は、グループ内で選択的にグループチャットをすることができ、グループ内のそれぞれのグループメンバーの閲読権限を正確にコントロールすることができ、新しいグループ又は新しいトピックを作成しなくても、一部のグループメンバーとグループチャットを実現でき、メッセージのプライバシーやセキュリティを保証でき、操作の複雑さが大幅に減少でき、グループチャットの面白さを向上させ、グループチャットの活性化の度合いを向上させ、ユーザーの体験を向上させることができる。
【００９０】
図１１は、他の一実施形態に係るインスタントメッセージング装置を示すブロック図である。図１１を参照すると、当該装置は、メッセージ提示モジュール２２１、閲読要求転送モジュール２２２及びメッセージ転送モジュール２２３を含む。
【００９１】
メッセージ提示モジュール２２１は、グループ内で第１のグループメンバーの端末が送信した新しいメッセージ提示情報を受信し、当該新しいメッセージ提示情報をグループ内に転送するように配置される。当該新しいメッセージ提示情報は、そのグループ内のすべてのグループメンバーに、グループ内に未読の新しいメッセージが存在すると提示する。
【００９２】
閲読要求転送モジュール２２２は、グループ内で第２のグループメンバーの端末がグループチャットのインターフェースに表示される当該新しいメッセージ提示情報によって送信する、当該新しいメッセージの閲読を要求する閲読要求を受信し、その閲読要求を第１のグループメンバーの端末に送信するように配置される。
【００９３】
メッセージ転送モジュール２２３は、第１のグループメンバーの端末が第２のグループメンバーの端末に新しいメッセージの表示を許可するか否かを確認した後送信されるメッセージを受信し、第２のグループメンバーの端末に転送するように配置される。
【００９４】
図１２を参照すると、本実施例において、好ましくは、当該メッセージ転送モジュール２２３は、第１の転送サブモジュール２２３a又は第２の転送サブモジュール２２３bを含んでもよい。
【００９５】
第１の転送サブモジュール２２３aは、第１のグループメンバーの端末が第２のグループメンバーの端末に新しいメッセージの表示を許可すると確認した後送信される新しい情報を受信し、その新しい情報を第２のグループメンバーの端末に転送するように配置される。
【００９６】
第２の転送サブモジュール２２３bは、第１のグループメンバーの端末が第２のグループメンバーの端末に新しいメッセージの表示を許可しないことを確認した後送信される拒否情報を受信し、その拒絶情報を第２のグループメンバーの端末に転送するように配置される。
【００９７】
図１３を参照すると、本実施例において、好ましくは、メッセージ提示モジュール２２１は、
グループ内の第１のグループメンバーの端末が送信する予め設定されたフォーマットのコントロールメッセージを受信し、そのコントロールメッセージを新しいメッセージ提示情報と見なして、グループ内の第１のグループメンバー以外のそれぞれのグループメンバーの現在のインターフェースに送信するように配置されるメッセージ提示サブモジュール２２１aを含んでもよい。当該新しいメッセージ提示情報は、グループ内のすべてのグループメンバーに、グループ内に未読の新しいメッセージが存在すると提示するものでる。
【００９８】
前記実施例の装置について、それぞれのモジュールが操作を実行する具体的な方法は、関連する方法の実施例で詳細に記述したので、ここで詳細に説明しない。
【００９９】
本実施例による前記装置は、グループ内で選択的にグループチャットをすることができ、グループ内のそれぞれのグループメンバーの閲読権限を正確にコントロールすることができ、新しいグループ又は新しいトピックを作成しなくても、一部のグループメンバーとグループチャットをすることができ、メッセージのプライバシーやセキュリティを保証でき、操作の複雑さが大幅に減少でき、グループチャットの面白さを向上させ、グループチャットの活性化の度合いを向上させ、ユーザーの体験を向上させることができる。
【０１００】
図１４は、他の一実施形態に係るインスタントメッセージング装置を示すブロック図である。図１４を参照すると、当該装置は、プロセッサ１４０１と、プロセッサが実行可能なコマンドを記憶するメモリ１４０２を含み、
ここで、当該プロセッサ１４０１は、
ユーザーがグループ内で新しいメッセージを送信すると、グループ内で新しいメッセージ提示情報を送信し、
前記グループ内のいずれかのグループメンバーの端末が送信した前記新しいメッセージの閲読を要求する閲読要求を受信し、
予め設定されたルールによって、前記閲読要求を選択して、前記グループメンバーの端末に前記新しいメッセージの表示を許可するかを確認するように構成され、
前記新しいメッセージ提示情報は、前記グループ内のすべてのグループメンバーに、前記グループ内に未読の新しいメッセージが存在すると提示するものであり、
前記閲読要求は、前記グループメンバーが前記グループメンバーの端末を介してグループチャットのインターフェースに表示される前記新しいメッセージ提示情報によって送信されるものである。
【０１０１】
図１５は、他の一実施形態に係るインスタントメッセージング装置８００を示すブロック図である。例えば、装置８００は、携帯電話、コンピュータ、デジタル放送端末、メッセージ送受信装置、ゲームコンソール、タブレット装置、医療機器、ヘルス装置、パーソナルデジタルアシスタントなどであってもよい。
【０１０２】
図１５を参照すると、装置８００は、処理ユニット８０２、メモリ８０４、電源ユニット８０６、マルチメディアユニット８０８、オーディオユニット８１０、入出力（Ｉ/Ｏ）インターフェース８１２、センサユニット８１４及び通信ユニット８１６の中で、一つ又は複数を備えてもよい。
【０１０３】
処理ユニット８０２は、一般的に、装置８００の全体的な操作、例えば、ディスプレイ、携帯電話の呼び出し、デジタル通信、カメラの操作や記録操作に関連する操作を制御する。処理ユニット８０２は、１つ又は複数のプロセッサ８２０を含んでコマンドを実行して、前記方法の全部又は部分的なステップを完成する。また、処理ユニット８０２は、１つ又は複数のモジュールを含むことにより、処理ユニット８０２と他のユニットの相互間の交流（interaction）を容易にすることができる。例えば、処理ユニット８０２は、マルチメディアモジュールを含むことにより、マルチメディアユニット８０８と処理ユニット８０２の相互間の交流を容易にすることができる。
【０１０４】
メモリ８０４は、様々な種類のデータを保存して、装置８００での操作を支援するように配置される。これらのデータの例としては、装置８００で操作することができるいずれかのアプリケーション又は方法のコマンド、連絡先のデータ、電話帳、メッセージ、画像、動画などを含む。メモリ８０４は、いずれかのタイプの揮発性又は不揮発性記憶装置、又はこれらの組み合わせで構成することができる。例えば、ＳＲＡＭ(Static Random Access Memory)、ＥＥＰＲＯＭ(Electrically Erasable Programmable Read-Only Memory)、ＥＰＲＯＭ(Erasable Programmable Read Only Memory)、ＰＲＯＭ(Programmable Read-Only Memory)、ＲＯＭ(Read-Only Memory)、磁気メモリ、フラッシュメモリ、磁気ディスク、又は光学ディスクで構成することができる。
【０１０５】
電源ユニット８０６は、装置８００の様々なユニットに電力を提供する。電源ユニット８０６は、電源管理システム、１つ又は複数の電源、及び装置８００のために電力を生成、管理、配分することと関連するその他のユニットを含む。
【０１０６】
マルチメディアユニット８０８は、装置８００とユーザーの間に１つの出力インターフェースを提供するスクリーンを含む。一部の実施形態では、スクリーンは、ＬＣＤやＴＰ（タッチパネルを含むことができる。スクリーンがタッチパネルを含む場合、スクリーンはタッチスクリーンで実現することができ、ユーザーからの入力信号を受信することができる。タッチパネルは、１つ又は複数のタッチセンサを含んで、タッチ、スライド、及びタッチパネル上の手の動きを検出することができる。前記タッチセンサは、タッチやスライド動作の境界を検出することができるだけでなく、前記タッチやスライド操作に関連する持続時間と圧力を感知することもできる。一部の実施形態では、マルチメディアユニット８０８は、前方カメラ及び/又はリアカメラを含むことができる。装置８００は、例えば、撮影モードや動画モードなどの操作モードにある場合、前方カメラ及び/又はリアカメラは、外部のマルチデータを受信することができる。それぞれの前方カメラと後方カメラは固定的な光学レンズシステムであってもよく、あるいは焦点距離と光学ズーム機能を備えることもできる。
【０１０７】
オーディオユニット８１０は、オーディオ信号を入出力できるように配置される。例えば、オーディオユニット８１０は、１つのマイク（ＭＩＣ）を含み、装置８００が、例えば呼び出しモード、記録モード及び音声識別モードにある場合、ＭＩＣは、外部のオーディオ信号を受信することができるように配置される。受信されたオーディオ信号は、メモリ８０４に記憶されることがあり、又は通信ユニット８１６を経て送信されることもできる。一部の実施例では、オーディオユニット８１０は、オーディオ信号を出力するスピーカーを含むことができる。
【０１０８】
Ｉ/Ｏインターフェース８１２は、処理ユニット８０２と周辺インターフェースモジュールとの間にインターフェースを提供する。前記周辺インターフェースモジュールは、キーボード、クリックホイール又はボタンなどであってもよい。これらのボタンは、ホームページボタン、ボリュームボタン、操作ボタン又はロックボタンを含むがこれに限定されない。
【０１０９】
センサユニット８１４は、１つ又は複数のセンサを含み、装置８００に各方面の状態の評価を提供する。例えば、センサユニット８１４は、装置８００のＯＮ/ＯＦＦの状態や、ユニットの相対的位置決めを検出できる。例えば、前記ユニットは、装置８００のモニターや、小さなキーボードである。センサユニット８１４は、装置８００又は装置８００の１つのユニットの位置の変化や、ユーザーと装置８００との間の接触かどうかや、装置８００の位置や、加速/減速や、装置８００の温度変化を検出することができる。センサユニット８１４は、接近センサを含むことができ、何の物理的な接触がない状況で、隣に物体が存在するかを検出することができるように配置されている。センサユニット８１４は、光センサ、例えばＣＭＯＳ又はＣＣＤ画像センサを含むことができ、映像の形成応用に使用される。一部の実施例で、センサユニット８１４は、加速度センサ、ジャイロスコープセンサ、磁気センサ、圧力センサ、又は温度センサをさらに含むことができる。
【０１１０】
通信ユニット８１６は、装置８００とその他の機器との間で有線又は無線方式の通信が便利になるように配置される。装置８００は、通信規格に基づいたワイヤレスネットワーク、例えばＷｉＦｉ、２Ｇ又は３Ｇ、又はこれらの組み合わせにアクセスすることができる。一実施例では、通信ユニット８１６は、放送チャンネルを介して、外部の放送管理システムからの放送信号、又は放送関連情報を受信することができる。一実施例では、前記通信ユニット８１６は、ＮＦＣ(Near Field Communication)モジュールをさらに含むことにより、短距離通信を促進することができる。例えば、ＮＦＣモジュールは、ＲＦＩＤ(Radio Frequency Identification)技術、ＩｒＤＡ(Infrared Data Association)技術、ＵＷＢ(Ultra-wide Bandwidth)技術、ＢＴ(Bluetooth）技術やその他の技術に基づいて実現することができる。
【０１１１】
実施例では、装置８００は、１つ又は複数のＡＳＩＣ（Application Specific Integrated Circuits）、ＤＳＰ（Digital Signal Processors）、ＤＳＰＤ（Digital Signal Processing Devices）、ＰＬＤ（Programmable Logic Devices）、ＦＰＧＡ（Field Programmable Gate Arrays）、コントローラ、マイクロコントローラ、マイクロプロセッサ、又はその他の電子素子で構成することができ、前記方法を実行するために使用される。
【０１１２】
一実施例では、コマンドを含む非一時的コンピュータ読み取り可能な記憶媒体、例えばコマンドを含むメモリ８０４を提供する。前記コマンドは、装置８００のプロセッサ８２０が実行して前記方法を完成(achieve)する。例えば、前記非一時的コンピュータ読み取り可能な記憶媒体はＲＯＭ、ＲＡＭ（Random Access Memory）、ＣＤ-ＲＯＭ、磁気テープ、フロッピーディスク、及び光データ記憶装置などであってもよい。
【０１１３】
非一時的コンピュータ読み取り可能な記録媒体の場合、前記記録媒体に記憶されたコマンドがモバイル端末のプロセッサによって実行されると、携帯端末がインスタントメッセージングの方法を実行する。前記方法は、
ユーザーがグループ内で新しいメッセージを送信すると、グループ内で新しいメッセージ提示情報を送信するステップと、
前記グループ内のいずれかのグループメンバーの端末が送信した前記新しいメッセージの閲読を要求する閲読要求を受信するステップと、
予め設定されたルールによって、前記閲読要求を選択して、前記グループメンバーの端末に前記新しいメッセージの表示を許可するかを確定するステップとを含み、
前記新しいメッセージ提示情報は、前記グループ内のすべてのグループメンバーに、前記グループ内に未読の新しいメッセージが存在すると提示するものであり、
前記閲読要求は、前記グループメンバーが前記グループメンバーの端末を介してグループチャットのインターフェースに表示される前記新しいメッセージ提示情報によって送信されるものである。
【０１１４】
好ましくは、前記予め設定されたルールによって、前記閲読要求を選択して、前記グループメンバーの端末に前記新しいメッセージの表示を許可するかを確定するステップは、
ローカルの選択によって、前記グループメンバーの端末に前記新しいメッセージの表示を許可するかを確認するステップと、
前記グループメンバーの端末に前記新しいメッセージの表示を許可することが確認されると、前記新しいメッセージを前記グループメンバーの端末に送信するステップと、
前記グループメンバーの端末に前記新しいメッセージの表示を許可しないと確認されると、拒絶情報を前記グループメンバーの端末に送信するステップを含む。
【０１１５】
好ましくは、前記ローカルの選択によって、前記グループメンバーの端末に前記新しいメッセージの表示を許可するかを確認するステップは、
前記ユーザーに、前記グループメンバーの端末に前記新しいメッセージの表示を許可するかを問い合わせするステップ、又は、予め設定されたホワイトリスト又はブラックリストを検索し、前記グループメンバーの端末に前記新しいメッセージの表示を許可するかを確認するステップを含む。
【０１１６】
好ましくは、前記グループ内で新しいメッセージ提示情報を送信するステップは、
グループ内で１つの予め設定されたフォーマットのコントロールメッセージ送信するステップを含む。前記コントロールメッセージは、サーバーに指示して、新しいメッセージ提示情報を、前記グループ内のローカルグループメンバー以外の各グループメンバーの現在のインターフェースに送信させるように、設定されている。
【０１１７】
本実施例による前記非一時的コンピュータ読み取り可能な記憶媒体は、グループ内で選択的にグループチャットをすることができ、グループ内のそれぞれのグループメンバーの閲読権限を正確にコントロールして、新しいグループ又は新しいトピックを作成しなくても、一部のグループメンバーとグループチャットをすることができ、メッセージのプライバシーやセキュリティを保証でき、操作の複雑さを大幅に減少させ、グループチャットの面白さを向上させ、グループチャットの活性化の度合いを向上させ、ユーザーの体験を向上させることができある。
【０１１８】
図１６は、他の一実施形態に係るインスタントメッセージング装置を示すブロック図である。図１６を参照すると、プロセッサ１６０１と、プロセッサが実行可能なコマンドを記憶するメモリ１６０２を含み、
ここで、前記プロセッサ１６０１は、
グループ内の第１のグループメンバーの端末が送信した新しいメッセージ提示情報を受信し、前記新しいメッセージ提示情報をグループ内に転送し、
前記グループ内の第２のグループメンバーの端末がグループチャットのインターフェースに表示される前記新しいメッセージ提示情報によって送信される、前記新しいメッセージの閲読を要求する閲読要求を受信し、前記閲読要求を前記第１のグループメンバーの端末に転送し、
前記第１のグループメンバーの端末が前記第２のグループメンバーの端末に新しいメッセージの表示を許可するかを確認した後送信されるメッセージを受信し、前記第２のグループメンバーの端末に送信するように構成され、
前記新しいメッセージ提示情報は、前記グループ内のすべてのグループメンバーに、前記グループ内の未読の新しいメッセージが存在すると提示する。
【０１１９】
図１７は、他の一実施形態に係るインスタントメッセージング装置１９００を示すブロック図である。例えば、装置１９００は、サーバーで提供することができる。図１７を参照すると、装置１９００は、１つ又は複数のプロセッサを含む処理ユニット１９２２と、メモリ１９３２を代表とするメモリリソースを含むことができる。そのメモリリソースは、処理ユニット１９２２により実行されるコマンド、例えばアプリケーションを記憶する。メモリ１９３２に記憶されるアプリケーションは、少なくとも１つ以上のそれぞれの１組コマンドに対応するモジュールを含むことができる。そして、処理ユニット１９２２は、前記方法を実行するようにコマンドを実行する。
【０１２０】
装置１９００は、装置１９００の電源管理を実行する１つの電源ユニット１９２６と、装置１９００をネットワークに接続する１つの有線又は無線ネットワークインターフェース１９５０、及び１つの入出力（Ｉ/Ｏ）インターフェース１９５８を含むことができる。装置１９００は、メモリ１９３２に記憶されたオペレーティングシステム、例えばＷｉｎｄｏｗｓＳｅｒｖｅｒＴＭ、Ｍａｃ ＯＳ ＸＴＭ、ＵｎｉｘＴＭ、ＬｉｎｕｘＴＭ、ＦｒｅｅＢＳＤＴＭ又は類似のものに基づいて操作することができる。
【０１２１】
本実施例が提供する前記の装置は、グループ内で選択的にグループチャットすることができ、グループ内の各グループメンバーの閲読権限を正確にコントロールすることができ、新しいグループ又は新しいトピックを作成していなくても、メッセージのプライバシーやセキュリティを保証して操作の複雑さを大幅に減少させ、また、グループチャットの面白さを向上させ、グループチャットの活性化の度合いを向上させ、ユーザーの体験を向上させることができる。
【０１２２】
当業者は、本明細書を考慮し、ここで公開した発明を実践した後、本発明の他の実施案を容易に想到することができる。本出願は、本発明の任意の変形、用途、又は適応的な変化を含むことにその旨がある。このような変形、用途、又は適応的な変化は、本発明の一般的な原理を遵守し、本発明が公開していない本技術分野の公知知識や慣用技術手段を備える。明細書及び実施例は、単に例示的であるだけで、本発明の真の範囲および精神は、添付された特許請求の範囲で提出する。
【０１２３】
なお、本発明は、前記で既に述べて図面に示した構造に限定されず、また、本発明の範囲を逸脱しない前提の下で、様々な修正や改変を行うことができる。本発明の範囲は、添付された特許請求の範囲によってのみ限定される。
【０１２４】
本出願は、出願番号が２０１４１０７２７８２６．８であって、出願日が２０１４年１２月０３日である中国特許出願を素礎として優先権を主張し、その中国特許出願の内容全体は、本出願に援用される。
【図１６】
2017504921.tif 000003
【図１７】
2017504921.tif 000004
【図１】
2017504921.tif 000005
【図２】
2017504921.tif 000006
【図３】
2017504921.tif 000007
【図４】
2017504921.tif 000008
【図５】
2017504921.tif 000009
【図６】
2017504921.tif 000010
【図７】
2017504921.tif 000011
【図８】
2017504921.tif 000012
【図９】
2017504921.tif 000013
【図１０】
2017504921.tif 000014
【図１１】
2017504921.tif 000015
【図１２】
2017504921.tif 000016
【図１３】
2017504921.tif 000017
【図１４】
2017504921.tif 000018
【図１５】
2017504921.tif 000019
【手続補正書】
【提出日】平成27年6月26日(2015.6.26)
【手続補正１】
【補正対象書類名】特許請求の範囲
【補正対象項目名】全文
【補正方法】変更
【補正の内容】
【特許請求の範囲】
【請求項１】
ユーザーがグループ内で新しいメッセージを送信すると、グループ内で新しいメッセージ提示情報を送信するステップと、
前記グループ内のいずれかのグループメンバーの端末が送信した前記新しいメッセージの閲読を要求する閲読要求を受信するステップと、
予め設定されたルールによって、前記閲読要求を選択して、前記グループメンバーの端末に前記新しいメッセージの表示を許可するかを確定するステップとを含み、
前記新しいメッセージ提示情報は、前記グループ内のすべてのグループメンバーに、前記グループ内の未読の新しいメッセージが存在すると提示するものであり、
前記閲読要求は、前記グループメンバーが前記グループメンバーの端末を介してグループチャットのインターフェースに表示される前記新しいメッセージ提示情報によって送信されるものであることを特徴とするインスタントメッセージングの方法。
【請求項２】
予め設定されたルールによって、前記閲読要求を選択して、前記グループメンバーの端末に前記新しいメッセージの表示を許可するかを確定するステップは、
ローカルの選択によって、前記グループメンバーの端末に新しいメッセージの表示を許可するかを確認するステップと、
前記グループメンバーの端末に前記新しいメッセージの表示を許可することが確認されると、前記新しいメッセージを前記グループメンバーの端末に送信するステップと、
前記グループメンバーの端末に前記新しいメッセージの表示を許可しないことが確認されると、拒絶メッセージを前記グループメンバーの端末に送信するステップとを含むことを特徴とする請求項1に記載のインスタントメッセージングの方法。
【請求項３】
前記ローカルの選択によって、前記グループメンバーの端末に新しいメッセージの表示を許可するかを確認するステップは、
前記ユーザーに、前記グループメンバーの端末に前記新しいメッセージの表示を許可するかを問い合わせするステップ、又は
予め設定されたホワイトリスト又はブラックリストを検索し、前記グループメンバーの端末に前記新しいメッセージの表示を許可するかを確認するステップを含むことを特徴とする請求項２に記載のインスタントメッセージングの方法。
【請求項４】
前記グループ内で新しいメッセージ提示情報を送信するステップは、
前記グループ内で１つの予め設定されたフォーマットのコントロールメッセージを送信するステップを含み、
前記コントロールメッセージは、サーバーに指示して、新しいメッセージ提示情報を、前記グループ内のローカルグループメンバー以外の各グループメンバーの現在のグループチャットのインターフェースに送信させるように、設定されていることを特徴とする請求項１に記載のインスタントメッセージングの方法。
【請求項５】
グループ内の第１のグループメンバーの端末が送信した新しいメッセージ提示情報を受信し、前記新しいメッセージ提示情報をグループ内に転送するステップと、
前記グループ内の第２のグループメンバーの端末がグループチャットのインターフェースに表示される前記新しいメッセージ提示情報によって送信される、前記新しいメッセージの閲読を要求する閲読要求を受信し、前記閲読要求を前記第１のグループメンバーの端末に転送するステップと、
前記第１のグループメンバーの端末が前記第２のグループメンバーの端末に新しいメッセージの表示を許可するかを確認した後送信されるメッセージを受信し、前記第２のグループメンバーの端末に転送するステップとを含み、
前記新しいメッセージ提示情報は、前記グループ内のすべてのグループメンバーに前記グループ内の未読の新しいメッセージが存在すると提示するものであることを特徴とするインスタントメッセージングの方法。
【請求項６】
前記第１のグループメンバーの端末が前記第２のグループメンバーの端末に新しいメッセージの表示を許可するかを確認した後送信されるメッセージを受信し、前記第２のグループメンバーの端末に転送するステップは、
前記第１のグループメンバーの端末が前記第２のグループメンバーの端末に新しいメッセージの表示を許可すると確認した後送信される前記新しいメッセージを受信し、前記新しいメッセージを前記第２のグループメンバーの端末に転送するステップ、又は
前記第１のグループメンバーの端末が前記第２のグループメンバーの端末に新しいメッセージの表示を許可しないと確認した後に送信される拒絶メッセージを受信し、前記拒絶メッセージを前記第２のグループメンバーの端末に転送するステップを含むことを特徴とする請求項５に記載のインスタントメッセージングの方法。
【請求項７】
前記グループ内の第１のグループメンバーの端末が送信した新しいメッセージ提示情報を受信し、前記新しいメッセージ提示情報をグループ内に転送するステップは、
前記グループ内の第１のグループメンバーの端末が送信した予め設定されたフォーマットのコントロールメッセージを受信し、前記コントロールメッセージを新しいメッセージ提示情報として、前記グループ内の前記第１のグループメンバー以外の各グループメンバーの現在のグループチャットインターフェースに送信することを特徴と請求項６に記載のインスタントメッセージングの方法。
【請求項８】
ユーザーがグループ内で新しいメッセージを送信すると、グループ内で新しいメッセージ提示情報を送信するメッセージ提示モジュールと、
前記グループ内のいずれかのグループメンバーの端末が送信した前記新しいメッセージの閲読を要求する閲読要求を受信する閲読要求受信モジュールと、
予め設定されたルールによって、前記閲読要求を選択して、前記グループメンバーの端末に前記新しいメッセージの表示を許可するかを確認する確認モジュールとを含み、
前記新しいメッセージ提示情報は、前記グループ内のすべてのグループメンバーに、前記グループ内の未読の新しいメッセージが存在すると提示するものであり、
前記閲読要求は、前記グループメンバーが前記グループメンバーの端末を介してグループチャットのインターフェースに表示される前記新しいメッセージ提示情報によって送信されるものであることを特徴とするインスタントメッセージング装置。
【請求項９】
前記確認モジュールは、
ローカルの選択によって、前記グループメンバーの端末に前記新しいメッセージの表示を許可するかを確認する確認サブモジュールと、
前記確認サブモジュールが、前記グループメンバーの端末に前記新しいメッセージの表示を許可することが確認されると、前記新しいメッセージを前記グループメンバーの端末に送信する第１の送信サブモジュールと、
前記確認サブモジュールが、前記グループメンバーの端末に前記新しいメッセージの表示を許可しないと確認されると、拒絶メッセージを前記グループメンバーの端末に送信する第２の転送サブモジュールとを含むことを特徴とする請求項８に記載のインスタントメッセージング装置。
【請求項１０】
前記確認サブモジュールは、
前記ユーザーに、前記グループメンバーの端末に前記新しいメッセージの表示を許可するかを問い合わせ、又は
予め設定されたホワイトリスト又はブラックリストを検索し、前記グループメンバーの端末に前記新しいメッセージの表示を許可するかを確認するように構成されることを特徴とする請求項９に記載のインスタントメッセージング装置。
【請求項１１】
前記メッセージ提示モジュールは、
ユーザーがグループ内で新しいメッセージを送信すると、グループ内で１つの予め設定されたフォーマットのコントロールメッセージを送信するメッセージ提示サブモジュールを含み、
前記コントロールメッセージは、サーバーに指示して、新しいメッセージ提示情報を、前記グループ内のローカルグループメンバー以外の各グループメンバーの現在のグループチャットのインターフェースに送信させるように設定され、
前記新しいメッセージ提示情報は、前記グループ内のすべてのグループメンバーに、前記グループ内の未読の新しいメッセージが存在すると提示するものであることを特徴とする請求項８に記載のインスタントメッセージング装置。
【請求項１２】
グループ内の第１のグループメンバーの端末が送信した新しいメッセージ提示情報を受信し、前記新しいメッセージ提示情報をグループ内に転送するメッセージ提示モジュールと、
前記グループ内の第２のグループメンバーの端末がグループチャットのインターフェースに表示される前記新しいメッセージ提示情報によって送信される、前記新しいメッセージの閲読を要求する閲読要求を受信し、前記閲読要求を前記第１のグループメンバーの端末に転送する閲読要求転送モジュールと、
前記第１のグループメンバーの端末が前記第２のグループメンバーの端末に前記新しいメッセージの表示を許可するかを確認した後送信されるメッセージを受信し、前記第２のグループメンバーの端末に送信するメッセージ転送モジュールとを含み、 
前記新しいメッセージ提示情報は、前記グループ内のすべてのグループメンバーに、前記グループ内の未読の新しいメッセージが存在すると提示するものであることを特徴とするインスタントメッセージング装置。
【請求項１３】
前記メッセージ転送モジュールは、
前記第１のグループメンバーの端末が前記第２のグループメンバーの端末に新しいメッセージの表示を許可すると確認した後送信される前記新しいメッセージを受信し、前記新しいメッセージを前記第２のグループメンバーの端末に送信する第１の送信サブモジュール、又は
前記第１のグループメンバーの端末が前記第２のグループメンバーの端末に新しいメッセージの表示を許可しないと確認した後に送信される拒絶メッセージを受信し、前記拒絶メッセージを前記第２のグループメンバーの端末に送信する第２の転送サブモジュールを含むことを特徴とする請求項１２に記載のインスタントメッセージング装置。
【請求項１４】
前記メッセージ提示モジュールは、
前記グループ内の第１のグループメンバーの端末が送信した予め設定されたフォーマットのコントロールメッセージを受信し、前記コントロールメッセージを新しいメッセージと見なして、前記グループ内の前記第１のグループメンバー以外の各グループメンバーの現在のインターフェースに送信するメッセージ提示サブモジュールを含み、
前記新しいメッセージ提示情報は、前記グループ内のすべてのグループメンバーにグループ内に未読の新しいメッセージが存在すると提示するものであることを特徴とする請求項１２に記載のインスタントメッセージング装置。
【請求項１５】
プロセッサ及びプロセッサが実行可能なコマンドを記憶するメモリを含み、
ここで、前記プロセッサは、
ユーザーがグループ内で新しいメッセージを送信すると、グループ内で新しいメッセージ提示情報を送信し、
前記グループ内のいずれかのグループメンバーの端末が送信した前記新しいメッセージの閲読を要求する閲読要求を受信し、
予め設定されたルールによって、前記閲読要求を選択して、前記グループメンバーの端末に前記新しいメッセージの表示を許可するかを確認するように構成され、
前記新しいメッセージ提示情報は、前記グループ内のすべてのグループメンバーに、前記グループ内の未読の新しいメッセージが存在すると提示するものであり、
前記閲読要求は、前記グループメンバーが前記グループメンバーの端末を介してグループチャットのインターフェースに表示される前記新しいメッセージ提示情報によって送信されるものであることを特徴とするインスタントメッセージング装置。
【請求項１６】
プロセッサ及びプロセッサが実行可能なコマンドを記憶するメモリを含み、
ここで、前記プロセッサは、
グループ内の第１のグループメンバーの端末が送信した新しいメッセージ提示情報を受信し、前記新しいメッセージ提示情報をグループ内に転送し、
前記グループ内の第２のグループメンバーの端末がグループチャットのインターフェースに表示される前記新しいメッセージ提示情報によって送信される、前記新しいメッセージの閲読を要求する閲読要求を受信し、前記閲読要求を前記第１のグループメンバーの端末に転送し、
前記第１のグループメンバーの端末が前記第２のグループメンバーの端末に新しいメッセージの表示を許可するかを確認した後送信されるメッセージを受信し、前記第２のグループメンバーの端末に送信するように構成され、
前記新しいメッセージ提示情報は、前記グループ内のすべてのグループメンバーに前記グループ内の未読の新しいメッセージが存在すると提示するものであることを特徴とするインスタントメッセージング装置。
【請求項１７】
プロセッサに実行されることにより、請求項１〜７のいずれか１項に記載のインスタントメッセージング方法を実現することを特徴とするプログラム。
【請求項１８】
請求項１７に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本発明は、通信分野に関し、より詳細には、インスタントメッセージング方法、装置、プログラム及び記録媒体に関する。
【背景技術】
【０００２】
チャットソフトウェアにおいて、グループは、複数の人がチャットを介して交流するためのツールである。グループマスタは、グループを作成した後、友人や共通の興味を持っている人々を要請して、グループでチャットする。グループ内の一人のメンバーがグループで送信したメッセージは、当該グループの他のすべてのメンバーが受信することができ、マルチチャットが非常に便利になる。しかし、チャットソフトウェア普及につれて、グループが絶え間無く発展し、以下のような望みがすでに出ている。即ち、一人のメンバーがグループ内で送信したメッセージが、すべてのメンバーが受信することを望まず、ただ一部のメンバーのみが受信すればよい。
【０００３】
このような要求に対応して、現在の一般的な処理方法は、新しいグループを作成したり、現在のグループで新しいトピックを選んで、交流しようとする一部のメンバーを新しいグループ又は新しいトピックに引き込んだりして、一部のメンバーとのグループチャットを実現する。ただし、当該方法は、新しいグループを作成したり、新しいトピックを作成したりして、また、交流しようとするメンバーを一つずつ要請しなければならないため、操作が複雑で、また、新たに生成されたグループが使用しない場合、余分のグループになってしまい、リソースを無駄にすることになる。
【発明の概要】
【０００４】
上記問題を鑑みて、本発明は、グループ内の一部のメンバーとインスタントメッセージングするとき、操作の複雑さを減少させてリソースを無駄にすることを避けることができるインスタントメッセージング方法、装置、プログラム及び記録媒体を提供する。
【０００５】
本発明の第１の実施例では、
ユーザーがグループ内で新しいメッセージを送信すると、グループ内で新しいメッセージ提示情報を送信するステップと、
前記グループ内のいずれかのグループメンバーの端末が送信した前記新しいメッセージの閲読を要求する閲読要求を受信するステップと、
予め設定されたルールによって、前記閲読要求を選択して、前記グループメンバーの端末に前記新しいメッセージの表示を許可するかを確定するステップとを含み、
前記新しいメッセージ提示情報は、前記グループ内のすべてのグループメンバーに、前記グループ内の未読の新しいメッセージが存在すると提示し、
前記閲読要求は、前記グループメンバーが前記グループメンバーの端末を介してグループチャットのインターフェースに表示される前記新しいメッセージ提示情報によって送信されることを特徴とするインスタントメッセージングの方法を提供する。
【０００６】
好ましくは、予め設定されたルールによって、前記閲読要求を選択して、前記グループメンバーの端末に前記新しいメッセージの表示を許可するかを確定するステップは、
ローカルの選択によって、前記グループメンバーの端末に新しいメッセージの表示を許可するかを確認するステップと、
前記グループメンバーの端末に前記新しいメッセージの表示を許可することが確認されると、前記新しいメッセージを前記グループメンバーの端末に送信するステップと、
前記グループメンバーの端末に前記新しいメッセージの表示を許可しないと確認されると、拒絶メッセージを前記グループメンバーの端末に送信するステップとを含む。
【０００７】
好ましくは、前記ローカルの選択によって、前記グループメンバーの端末に新しいメッセージの表示を許可するかを確認するステップは、
前記ユーザーに、前記グループメンバーの端末に前記新しいメッセージの表示を許可するかを問い合わせするステップ、又は
予め設定されたホワイトリスト又はブラックリストを検索し、前記グループメンバーの端末に前記新しいメッセージの表示を許可するかを確認するステップを含む。
【０００８】
好ましくは、前記グループ内で新しいメッセージ提示情報を送信するステップは、
前記グループ内で１つの予め設定されたフォーマットのコントロールメッセージを送信するステップを含み、
前記コントロールメッセージは、サーバーに指示して、新しいメッセージ提示情報を、前記グループ内のローカルグループメンバー以外の各グループメンバーの現在のグループチャットのインターフェースに送信させるように、設定されている。
【０００９】
本発明の第２の実施例では、
グループ内の第１のグループメンバーの端末が送信した新しいメッセージ提示情報を受信し、前記新しいメッセージ提示情報をグループ内に転送するステップと、
前記グループ内の第２のグループメンバーの端末がグループチャットのインターフェースに表示される前記新しいメッセージ提示情報によって送信される、前記新しいメッセージの閲読を要求する閲読要求を受信し、前記閲読要求を前記第１のグループメンバーの端末に転送するステップと、
前記第１のグループメンバーの端末が前記第２のグループメンバーの端末に新しいメッセージの表示を許可するかを確認した後送信されるメッセージを受信し、前記第２のグループメンバーの端末に転送するステップとを含み、
前記新しいメッセージ提示情報は、前記グループ内のすべてのグループメンバーに前記グループ内の未読の新しいメッセージが存在すると提示することを特徴とするインスタントメッセージングの方法を提供する。
【００１０】
好ましくは、前記第１のグループメンバーの端末が前記第２のグループメンバーの端末に新しいメッセージの表示を許可するかを確認した後送信されるメッセージを受信し、前記第２のグループメンバーの端末に転送するステップは、
前記第１のグループメンバーの端末が前記第２のグループメンバーの端末に新しいメッセージの表示を許可すると確認した後送信される前記新しいメッセージを受信し、前記新しいメッセージを前記第２のグループメンバーの端末に転送するステップ、又は
前記第１のグループメンバーの端末が前記第２のグループメンバーの端末に新しいメッセージの表示を許可しないと確認した後に送信される拒絶メッセージを受信し、前記拒絶メッセージを前記第２のグループメンバーの端末に転送するステップを含む。
【００１１】
好ましくは、前記グループ内の第１のグループメンバーの端末が送信した新しいメッセージ提示情報を受信し、前記新しいメッセージ提示情報をグループ内に転送するステップは、
前記グループ内の第１のグループメンバーの端末が送信した予め設定されたフォーマットのコントロールメッセージを受信し、前記コントロールメッセージを新しいメッセージ提示情報として、前記グループ内の前記第１のグループメンバー以外の各グループメンバーの現在のグループチャットインターフェースに送信する。
【００１２】
本発明の第３の実施例では、
ユーザーがグループ内で新しいメッセージを送信すると、グループ内で新しいメッセージ提示情報を送信するメッセージ提示モジュールと、
前記グループ内のいずれかのグループメンバーの端末が送信した前記新しいメッセージの閲読を要求する閲読要求を受信する閲読要求受信モジュールと、
予め設定されたルールによって、前記閲読要求を選択して、前記グループメンバーの端末に前記新しいメッセージの表示を許可するかを確認する確認モジュールとを含み、
前記新しいメッセージ提示情報は、前記グループ内のすべてのグループメンバーに、前記グループ内の未読の新しいメッセージが存在すると提示し、
前記閲読要求は、前記グループメンバーが前記グループメンバーの端末を介してグループチャットのインターフェースに表示される前記新しいメッセージ提示情報によって送信されることを特徴とするインスタントメッセージング装置を提供する。
【００１３】
好ましくは、前記確認モジュールは、
ローカルの選択によって、前記グループメンバーの端末に前記新しいメッセージの表示を許可するかを確認する確認サブモジュールと、
前記確認サブモジュールが、前記グループメンバーの端末に前記新しいメッセージの表示を許可することが確認されると、前記新しいメッセージを前記グループメンバーの端末に送信する第１の送信サブモジュールと、
前記確認サブモジュールが、前記グループメンバーの端末に前記新しいメッセージの表示を許可しないと確認されると、拒絶メッセージを前記グループメンバーの端末に送信する第２の転送サブモジュールとを含む。
【００１４】
好ましくは、前記確認サブモジュールは、
前記ユーザーに、前記グループメンバーの端末に前記新しいメッセージの表示を許可するかを問い合わせ、又は
予め設定されたホワイトリスト又はブラックリストを検索し、前記グループメンバーの端末に前記新しいメッセージの表示を許可するかを確認するように構成される。
【００１５】
好ましくは、前記メッセージ提示モジュールは、
ユーザーがグループ内で新しいメッセージを送信すると、グループ内で１つの予め設定されたフォーマットのコントロールメッセージを送信するメッセージ提示サブモジュールを含み、
前記コントロールメッセージは、サーバーに指示して、新しいメッセージ提示情報を、前記グループ内のローカルグループメンバー以外の各グループメンバーの現在のグループチャットのインターフェースに送信させるように、設定され、
前記新しいメッセージ提示情報は、前記グループ内のすべてのグループメンバーに、前記グループ内の未読の新しいメッセージが存在すると提示する。
【００１６】
本発明の第４の実施例では、
グループ内の第１のグループメンバーの端末が送信した新しいメッセージ提示情報を受信し、前記新しいメッセージ提示情報をグループ内に転送するメッセージ提示モジュールと、
前記グループ内の第２のグループメンバーの端末がグループチャットのインターフェースに表示される前記新しいメッセージ提示情報によって送信される、前記新しいメッセージの閲読を要求する閲読要求を受信し、前記閲読要求を前記第１のグループメンバーの端末に転送する閲読要求転送モジュールと、
前記第１のグループメンバーの端末が前記第２のグループメンバーの端末に前記新しいメッセージの表示を許可するかを確認した後送信されるメッセージを受信し、前記第２のグループメンバーの端末に送信するメッセージ転送モジュールとを含み、 
前記新しいメッセージ提示情報は、前記グループ内のすべてのグループメンバーに、前記グループ内の未読の新しいメッセージが存在すると提示することを特徴とするインスタントメッセージング装置を提供する。
【００１７】
好ましくは、前記メッセージ転送モジュールは、
前記第１のグループメンバーの端末が前記第２のグループメンバーの端末に新しいメッセージの表示を許可すると確認した後送信される前記新しいメッセージを受信し、前記新しいメッセージを前記第２のグループメンバーの端末に送信する第１の送信サブモジュール、又は
前記第１のグループメンバーの端末が前記第２のグループメンバーの端末に新しいメッセージの表示を許可しないと確認した後に送信される拒絶メッセージを受信し、前記拒絶メッセージを前記第２のグループメンバーの端末に送信する第２の転送サブモジュールを含む。
【００１８】
好ましくは、前記メッセージ提示モジュールは、
前記グループ内の第１のグループメンバーの端末が送信した予め設定されたフォーマットのコントロールメッセージを受信し、前記コントロールメッセージを新しいメッセージと見なして、前記グループ内の前記第１のグループメンバー以外の各グループメンバーの現在のインターフェースに送信するメッセージ提示サブモジュールを含み、
前記新しいメッセージ提示情報は、前記グループ内のすべてのグループメンバーにグループ内に未読の新しいメッセージが存在すると提示する。
【００１９】
本発明の第５の実施例では、
プロセッサ及びプロセッサが実行可能なコマンドを記憶するメモリを含み、
ここで、前記プロセッサは、
ユーザーがグループ内で新しいメッセージを送信すると、グループ内で新しいメッセージ提示情報を送信し、
前記グループ内のいずれかのグループメンバーの端末が送信した前記新しいメッセージの閲読を要求する閲読要求を受信し、
予め設定されたルールによって、前記閲読要求を選択して、前記グループメンバーの端末に前記新しいメッセージの表示を許可するかを確認するように構成され、
前記新しいメッセージ提示情報は、前記グループ内のすべてのグループメンバーに、前記グループ内の未読の新しいメッセージが存在すると提示し、
前記閲読要求は、前記グループメンバーが前記グループメンバーの端末を介してグループチャットのインターフェースに表示される前記新しいメッセージ提示情報によって送信されることを特徴とするインスタントメッセージング装置を提供する。
【００２０】
本発明の第６の実施例では、
プロセッサ及びプロセッサが実行可能なコマンドを記憶するメモリを含み、
ここで、前記プロセッサは、
グループ内の第１のグループメンバーの端末が送信した新しいメッセージ提示情報を受信し、前記新しいメッセージ提示情報をグループ内に転送し、
前記グループ内の第２のグループメンバーの端末がグループチャットのインターフェースに表示される前記新しいメッセージ提示情報によって送信される、前記新しいメッセージの閲読を要求する閲読要求を受信し、前記閲読要求を前記第１のグループメンバーの端末に転送し、
前記第１のグループメンバーの端末が前記第２のグループメンバーの端末に新しいメッセージの表示を許可するかを確認した後送信されるメッセージを受信し、前記第２のグループメンバーの端末に送信するように構成され、
前記新しいメッセージ提示情報は、前記グループ内のすべてのグループメンバーに前記グループ内の未読の新しいメッセージが存在すると提示することを特徴とするインスタントメッセージング装置を提供する。
本発明の第７の実施例では、
プロセッサに実行されることにより、上記のインスタントメッセージング方法を実現するプログラムを提供する。
本発明の第８の実施例では、
上記プログラムが記録される記録媒体を提供する。
【発明の効果】
【００２１】
本発明の実施例を示した技術的な解決手段によると、グループ内で新しいメッセージ提示情報を送信して、グループ内の未読の新しいメッセージが存在すると提示し、前記グループ内のいずれかのグループメンバーの端末がグループチャットのインターフェースに表示される、前記新しいメッセージ提示情報によって送信される閲読要求を受信し、予め設定された規則によって、前記閲読要求を選択して、前記グループメンバーの端末に前記新しいメッセージの表示を許可するかを確定する。これによって、グループ内で、選択的なグループチャットが可能になり、グループ内のそれぞれのグループメンバーの閲読権限を正確にコントロールすることができ、新しいグループや新しいトピックを作成しなくても、一部のグループメンバーとチャットをすることができ、メッセージのプライバシーやセキュリティを保証でき、操作の複雑さを大幅に減少でき、グループチャットの面白さを向上させ、グループチャットの活躍性を向上させ、ユーザーの体験を向上させるとの有益な効果を獲得できる。
【００２２】
なお、上述した一般的な説明及び後述は単に例示的で説明であるだけで、本発明を制限するものではない。
【００２３】
ここで、添付されている図面は明細書に含まれ、その一部を構成し、本発明に合致する実施例を図示しつつ、明細書とともに本発明の原理を説明する。
【図面の簡単な説明】
【００２４】
【図１】一実施形態に係るインスタントメッセージングのシーンを示す説明図である。
【図２】他の一実施形態に係るインスタントメッセージングの方法を示すフローチャートである。
【図３】他の一実施形態に係るインスタントメッセージングの方法を示すフローチャートである。
【図４】他の一実施形態に係るインスタントメッセージングの方法を示すフローチャートである。
【図５】他の一実施形態に係るインスタントメッセージングの方法を示すフローチャートである。
【図６】他の一実施形態に係るインスタントメッセージングの方法を示すフローチャートである。
【図７】他の一実施形態に係るインスタントメッセージングの方法を示すフローチャートである。
【図８】他の一実施形態に係るインスタントメッセージング装置を示すブロック図である。
【図９】他の一実施形態に係るインスタントメッセージング装置を示すブロック図である。
【図１０】他の一実施形態に係るインスタントメッセージング装置を示すブロック図である。
【図１１】他の一実施形態に係るインスタントメッセージング装置を示すブロック図である。
【図１２】他の一実施形態に係るインスタントメッセージング装置を示すブロック図である。
【図１３】他の一実施形態に係るインスタントメッセージング装置を示すブロック図である。
【図１４】他の一実施形態に係るインスタントメッセージング装置を示すブロック図である。
【図１５】他の一実施形態に係るインスタントメッセージング装置を示すブロック図である。
【図１６】他の一実施形態に係るインスタントメッセージング装置を示すブロック図である。
【図１７】他の一実施形態に係るインスタントメッセージング装置を示すブロック図である。
【発明を実施するための形態】
【００２５】
ここで、例示的な実施例について詳細に説明して、その例を図面に表示する。以下の記載が図面に関連されたとき、他の表示がない場合は、異なる図面の同じ番号は同じ又は同様の要素を示す。下記の例示的な実施形態に記載した実施例は、本発明と一致したすべての実施例を表すものではない。逆に、実施例は、単に、添付された特許請求の範囲に記載した本発明のいくつかの方面と一致した装置及び方法の例である。
【００２６】
本発明の実施例は、インスタントメッセージングの方法及び装置に関するものであり、グループチャットのシーンに応用される。シーンは、図１に示されたアーキテクチャを含んでもよい。ここで、アーキテクチャは、サーバー及び複数の端末を含み、図面では、４つの端末を例に挙げて説明する。前記端末１〜端末４は、それぞれ、コンピュータ、ラップトップ、携帯電話、及びタブレットＰＣであり、本発明中の端末は、いずれかのタイプの端末であってもよいので、これに対して限定しない。前記端末及びサーバーの両方に、インスタントメッセージングソフトウェアをインストールして、そのインスタントメッセージングソフトウェアを介して、インスタントメッセージをやり取りすることができる。図１の４つの端末のユーザーは、同一のグループに位置し、ここでいずれかのユーザーがグループチャットを開始して、他のユーザーとインスタントメッセージングをやり取りすることができる。本発明の実施例は、前記インスタントメッセージング方法及び装置を介して、グループ内の一部のメンバーとインスタントメッセージングのやり取りを実現することができる。以下、これについて詳細に詳述する。
【００２７】
図２は、他の一実施形態に係るインスタントメッセージングの方法を示すフローチャートであり、図２に示すように、その方法は、端末に適用され、下記のようなステップを含む。
【００２８】
ステップＳ２１：ユーザーがグループ内で新しいメッセージを送信すると、グループ内で新しいメッセージ提示情報を送信する。当該新しいメッセージ提示情報は、グループ内のすべてのグループメンバーにグループ内に未読のメッセージが存在すると提示する。
【００２９】
ここで、前記新しいメッセージ提示情報は、さまざまな表現形式を有することができる。例えば、グループチャットインターフェースに、アイコン、ボタン、又は、リンクなどが表示することができる。本実施例では、これに対して具体的に限定しない。ユーザーは、新しいメッセージ提示情報をクリックして、閲読要求を送信する行為を引き起こす（trigger）ことができる。なお、当該新しいメッセージ提示情報には、メッセージの実体内容が含まれず、当該新しいメッセージ提示情報は、グループ内のユーザー以外のすべてのメンバーが受信することができる。
【００３０】
ステップＳ２２：当該グループ内のいずれかのグループメンバーの端末が送信した当該新しいメッセージの閲読を要求する閲読要求を受信する。当該閲読要求は、当該グループメンバーが当該グループメンバーの端末を介してグループチャットのインターフェースに表示される新しいメッセージ提示情報によって送信されるものである。
【００３１】
ステップＳ２３：予め設定されたルールによって、当該閲読要求を選択して、当該グループメンバーの端末に当該新しいメッセージの表示を許可するかを確定する。
【００３２】
ここで、前記新しいメッセージは、ローカルの前記ユーザーが送信しようとするメッセージであり、メッセージの実体内容を含み、当該ユーザーは、グループ内のすべてのメンバーがそのメッセージを受信することを望まないので、閲読要求を介して確認する方式を採用して、一部のグループメンバーがそのメッセージを受信することを選択的に可能にする。
【００３３】
本実施例において、好ましくは、予め設定されたルールによって、当該閲読要求を選択して、当該グループメンバーの端末に当該新しいメッセージの表示を許可するかを確定するステップは、
ローカルの選択によって、当該グループメンバーの端末が当該新しいメッセージの表示を許可するかを確認するステップと、
当該グループメンバーの端末に当該新しいメッセージの表示を許可することが確認されると、当該新しいメッセージを当該グループメンバーの端末に送信するステップと、
当該グループメンバーの端末に当該新しいメッセージの表示を許可しないことが確認されると、拒絶メッセージを、当該グループメンバーの端末に送信するステップとを含むことができる。
【００３４】
本実施例において、好ましくは、前記ローカルの選択によって、当該グループメンバーの端末が当該新しいメッセージの表示を許可するかを確認するステップは、
ユーザーに、当該グループメンバーの端末に該当新しいメッセージの表示を許可するかを問い合わせするステップ、又は、予め設定されたホワイトリスト又はブラックリストを検索して、当該グループメンバーの端末に新しいメッセージの表示を許可するかを確認するステップを含む。
【００３５】
本実施例において、好ましくは、前記グループ内で新しいメッセージ提示情報を送信するステップは、
グループ内で１つの予め設定されたフォーマットのコントロールメッセージを送信するステップを含む。コントロールメッセージは、サーバーに指示して、新しいメッセージ提示情報を、当該グループのローカルグループメンバー以外の各グループメンバーの現在のグループチャットのインターフェースに送信させるように、設定されている。
【００３６】
本発明の実施例を示した方法は、上述したステップを経て、グループ内での選択性になり、グループチャットをすることができ、グループ内のそれぞれのグループメンバーの閲読権限を正確にコントロールすることができ、新しいグループや新しいトピックを作成しなくても、一部のグループメンバーとチャットをすることができる。そのため、メッセージのプライバシーやセキュリティを保証でき、操作の複雑さが大幅に減少でき、グループチャットの面白さを向上させ、グループチャットの活躍を向上させ、ユーザーの体験を向上させる有益な効果を獲得することができる。
【００３７】
図３は、他の一実施形態に係るインスタントメッセージングの方法を示すフローチャートであり、図３に示すように、その方法は端末に適用され、下記のようなステップを含む。
【００３８】
ステップＳ３１：ユーザーがグループ内で新しいメッセージを送信すると、グループ内で新しいメッセージ提示情報を送信する。当該新しいメッセージ提示情報は、グループ内のすべてのグループメンバーにグループ内に未読のメッセージが存在すると提示する。
【００３９】
ステップＳ３２：当該グループ内のいずれかのグループメンバーの端末が送信した、当該新しいメッセージの閲読を要求する閲読要求を受信する。当該閲読要求は、当該グループメンバーが当該グループメンバーの端末を介してグループチャットのインターフェースに表示される新しいメッセージ提示情報によって送信されるものである。
【００４０】
ステップＳ３３：ローカルの選択によって、当該グループメンバーの端末に新しいメッセージの表示を許可するかを確認し、当該グループメンバーの端末に新しいメッセージの表示を許可することが確認されると、ステップＳ３４を実行し、当該グループメンバーの端末に新しいメッセージの表示を許可しないことが確認されると、ステップＳ３５を実行する。
【００４１】
ここで、ステップ３３は下記のようなステップを含む。
【００４２】
ユーザーに、当該グループメンバーの端末に新しいメッセージの表示を許可するかを問い合わせするステップ、又は、予め設定されたホワイトリスト又はブラックリストを検索して、当該グループメンバーの端末に新しいメッセージの表示を許可するかを確認するステップを含むことができる。
【００４３】
ここで、ユーザーに、当該グループメンバーの端末に新しいメッセージの表示を許可するかを問い合わせするステップは、グループチャットインターフェースに「ＸＸグループメンバーがメッセージの閲読を要請する」を表示して、「同意」ボタン及び 「拒絶」ボタンを提供されて、ユーザーが選択できるようにし、もしユーザーが「同意」ボタンをクリックすると、当該グループメンバーの端末に新しいメッセージの表示を許可すると確認され、もしユーザーが「拒絶」ボタンをクリックすると、当該グループメンバーの端末に当該新しいメッセージの表示を許可しないと確認される。
【００４４】
前記ホワイトリストは、メッセージを閲読する権限を有するグループメンバーのリストであり、そのホワイトリストを検索するときに、もしグループメンバーがそのホワイトリスト内にある場合、当該グループメンバーは、メッセージを閲読する権限を具備し、もしグループメンバーがそのホワイトリスト内にない場合、当該グループメンバーは、メッセージを閲読した権限を備えない。
【００４５】
前記ブラックリストは、メッセージを閲読する権限を有しないグループメンバーリストであり、そのブラックリストを検索するときに、もしグループメンバーがそのブラックリスト内にある場合、当該グループメンバーは、メッセージを閲読する権限を備えず、もしグループメンバーがそのブラックリスト内にない場合、当該グループメンバーは、メッセージを閲読する権限を有する。
【００４６】
ステップＳ３４：当該新しいメッセージを当該グループメンバーの端末に送信してプロセスを終了する。
【００４７】
当該新しいメッセージは、メッセージの実体内容を含み、当該グループメンバーは、受信した後、その実体内容を検索することができる。
【００４８】
ステップＳ３５：拒絶メッセンジャーを当該グループメンバーの端末に送信してプロセスを終了する。
【００４９】
ここで、送信された拒絶メッセージは、当該グループメンバーのグループチャットインターフェースに表示され、当該グループメンバーは、前記新しいメッセージを受信しなくなり、グループメンバーの閲読権限の正確な制御を成し遂げて、グループ内の一部のグループメンバーとグループチャットする目的を達成することができる。
【００５０】
本実施例が提供する前記方法は、上述したステップを経て、グループ内で選択的にグループチャットをすることができ、グループ内のそれぞれのグループメンバーの閲読権限を正確にコントロールすることができ、新しいグループや新しいトピックを作成してなくても、一部のグループメンバーとグループチャットをすることができ、メッセージのプライバシーやセキュリティを保証して、操作の複雑さが大幅に減少され、グループチャットの面白さを向上させ、グループチャットの活性化の度合いを向上させ、ユーザーの体験を向上させることができる。
【００５１】
図４は、他の一実施形態に係るインスタントメッセージングの方法を示すフローチャートであり、図４で示すように、その方法は端末に使用され、下記のようなステップを含む。
【００５２】
ステップＳ４１：グループ内で一つの予め設定されたフォーマットのコントロールメッセージを送信する。そのコントロールメッセージは、サーバーに指示して、新しいメッセージ提示情報を、グループ内でのローカルグループメンバー以外の各グループメンバーの現在のグループチャットのインターフェースに送信させるように、設定されている。また、当該新しいメッセージ提示情報は、前記グループ内のすべてのグループメンバーに前記グループに未読の新しいメッセージが存在すると提示する。
【００５３】
ここで、サーバーは、コントロールメッセージを新しいメッセージ提示情報とみなされ、グループに送信することができる。好ましくは、そのコントロールメッセージの予め設定されたフォーマットは、内容が空であり、即ちメッセージの実体内容が含まない。よって、提示及び確認の目的を達成することができる。なお、そのコントロールメッセージは、真の送信待機中の前記新しいメッセージではない。
【００５４】
ステップＳ４２：当該グループ内のいずれかのグループメンバーの端末が送信した、当該新しいメッセージの閲読を要求する閲読要求を受信する。閲読要求は、当該グループメンバーが当該グループメンバーの端末を介してグループチャットのインターフェースに表示される新しいメッセージ提示情報によって送信されるものである。
【００５５】
ステップＳ４３：予め設定されたルールによって、当該閲読要求を選択して、当該グループメンバーの端末に当該新しいメッセージの表示を許可するかを確定する。
【００５６】
本実施例が提供する前記方法は、上述したステップを経て、グループ内で選択的にグループチャットをすることができ、グループ内のそれぞれのグループメンバーの閲読権限を正確にコントロールすることができ、新しいグループや新しいトピックを作成してなくても、一部のグループメンバーとグループチャットをすることができ、メッセージのプライバシーやセキュリティを保証して、操作の複雑さが大幅に減少され、グループチャットの面白さを向上させ、グループチャットの活性化の度合いを向上させ、ユーザーの体験を向上させることができる。
【００５７】
図５は、他の一実施形態に係るインスタントメッセージングの方法を示すフローチャートであり、図５に示すように、その方法は、サーバーに適用され、下記のようなステップを含む。
【００５８】
ステップＳ５１：グループ内で第１のグループメンバーの端末が送信した新しいメッセージ提示情報を受信し、当該新しいメッセージ提示情報をグループ内で転送する。当該新しいメッセージ提示情報は、グループ内のすべてのグループメンバーに、グループ内に未読の新しいメッセージが存在すると提示するものである。
【００５９】
ステップＳ５２：当該グループ内で第２のグループメンバーの端末がグループチャットのインターフェースに表示される新しいメッセージ提示情報によって送信される当該新しいメッセージの閲読を要求する閲読要求を受信し、その閲読要求を第１のグループメンバーの端末に転送する。
【００６０】
ここで、当該第２のグループメンバーは、そのグループ内で前記第１のグループメンバー以外のいずれかのグループメンバーであり、ここで、これに対して限定されるものでない。その第２のグループメンバーは、自分のグループチャットインターフェースで、新しいメッセージ提示情報をクリックすることで、その第１のグループメンバーに閲読要求を送信する行為を引き起こす（trigger）。サーバーは、その閲読要求メッセージを、その第１のグループメンバーに転送する。
【００６１】
ステップＳ５３：当該第１のグループメンバーの端末が第２のグループメンバーの端末に新しいメッセージの表示を許可するかを確認した後送信されるメッセージを受信し、第２のグループメンバーの端末に転送する。
【００６２】
本実施例において、好ましくは、その第１のグループメンバーの端末がその第２のグループメンバーの端末に新しいメッセージの表示を許可するかを確認した後送信されるメッセージを受信し、その第２のグループメンバーの端末に転送するステップは、
その第１のグループメンバーの端末は、第２のグループメンバーの端末に当該新しいメッセージの表示を許可すると確認した後に送信された新しいメッセージを受信して、当該新しいメッセージをその第２のグループメンバーの端末に送信するステップ、又は、
その第１のグループメンバーの端末は、第２のグループメンバーの端末に当該新しいメッセージの表示を許可しないと確認した後に送信される拒絶メッセージを受信し、その拒絶メッセージを、その第２のグループメンバーの端末に送信するステップを含むことができる。
【００６３】
本実施例において、好ましくは、グループ内で第１のグループメンバーの端末が送信した新しいメッセージ提示情報を受信し、新しいメッセージ提示情報をグループ内に転送するステップは、
グループ内で第１のグループメンバーの端末が送信する予め設定されたフォーマットのコントロールメッセージを受信し、そのコントロールメッセージを新しいメッセージ提示情報として、そのグループ内で第１のグループメンバー以外の各グループメンバーの現在のインターフェースに送信される。例えば、予め設定されたフォーマットは内容が空のメッセージ、又は内容が予め定められた固有の内容が盛り込まれたメッセージであることができる。例えば、「そのメッセージの閲読権限は確認中」などで、インスタントメッセージングソフトウェアは、コントロールメッセージのフォーマットを予め定めることができ、本実施例では、これに対して限定しない。
【００６４】
本実施例が提供する前記方法は、上述したステップを経て、グループ内で選択的にグループチャットをすることができ、グループ内のそれぞれのグループメンバーの閲読権限を正確にコントロールすることができ、新しいグループや新しいトピックを作成してなくても、一部のグループメンバーとのグループチャットをすることができ、メッセージのプライバシーやセキュリティを保証して、操作の複雑さが大幅に減少され、グループチャットの面白さを向上させ、グループチャットの活性化の度合いを向上させ、ユーザーの体験を向上させることができる。
【００６５】
図６は、他の一実施形態に係るインスタントメッセージングの方法を示すフローチャートであり、図６で示すように、その方法は、サーバーで適用され、下記のようなステップを含む。
【００６６】
ステップＳ６１：グループ内で第１のグループメンバーが送信した新しいメッセージ提示情報を受信し、当該新しいメッセージ提示情報をグループ内に転送する。当該新しいメッセージ提示情報は、そのグループのすべてのグループメンバーに、そのグループ内に未読の新しいメッセージが存在すると提示する。
【００６７】
ステップＳ６２：当該グループ内で第２のグループメンバーの端末がグループチャットインターフェースに表示される新しいメッセージ提示情報によって送信される当該新しいメッセージの閲読を要求する閲読要求を受信し、当該閲読要求を第１のグループメンバーの端末に転送する。
【００６８】
ステップＳ６３：当該第１のグループメンバーの端末が第２のグループメンバーの端末に新しいメッセージの表示を許可すると確認した後送信される新しいメッセージを受信し、当該新しいメッセージをその第２のグループメンバーの端末に転送し、又は当該第１のグループメンバーの端末が第２のグループメンバーの端末に新しいメッセージの表示を許可しないと確認した後送信される拒絶メッセージを受信し、その拒絶メッセージを第２のグループメンバーの端末に転送する。
【００６９】
ここで、それぞれの閲読要求を送信したグループメンバーに対して、第１のグループメンバーは、自分の要求によって閲読権限をコントロールすることができ、メッセージの閲読を許可すると確認したり、メッセージの閲読を許可しないことを確認したりして、一部のグループメンバーと必要に応じて、グループチャットをすることができる。
【００７０】
本実施例が提供する前記方法は、上述したステップを経て、グループ内で選択的にグループチャットをすることができ、グループ内のそれぞれのグループメンバーの閲読権限を正確にコントロールすることができ、新しいグループや新しいトピックを作成してなくても、一部のグループメンバーとグループチャットをすることができ、メッセージのプライバシーやセキュリティを保証して、操作の複雑さが大幅に減少され、グループチャットの面白さを向上させ、グループチャットの活性化の度合いを向上させ、ユーザーの体験を向上させることができる。
【００７１】
図７は、他の一実施形態に係るインスタントメッセージングの方法を示すフローチャートであり、図７に示すように、その方法は、サーバーに適用され、下記のようなステップを含む。
【００７２】
ステップＳ７１：グループ内の第１のグループメンバーの端末が送信する予め設定されたフォーマットのコントロールメッセージを受信し、そのコントロールメッセージを新しいメッセージ提示情報としてグループ内での１のグループメンバー以外の各グループメンバーの現在のインターフェースに送信する。当該新しいメッセージ提示情報は、そのグループ内に未読の新しいメッセージが存在すると提示する。
【００７３】
ここで、前記新しいメッセージ提示情報は、さまざまな表現形式がある。例えば、封筒と同じような形式のアイコン、ボタン、又は、リンク等であり、本実施例は、ここに対して具体的な制限をしない。
【００７４】
ステップＳ７２：グループ内で第２のグループメンバーの端末がグループチャットインターフェースに表示される新しいメッセージ提示情報によって送信される当該新しいメッセージの閲読を要求する閲読要求を受信し、その閲読要求を第１のグループメンバーの端末に転送する。
【００７５】
ステップＳ７３：第１のグループメンバーの端末が第２のグループメンバーの端末に新しいメッセージの表示を許可するかを確認した後送信されるメッセージを受信し、第２のグループメンバーの端末に転送する。
【００７６】
ここで、当該第１のグループメンバーが送信したメッセージは、当該新しいメッセージであることもあり、拒否メッセージであることもあり、サーバーはこれを第２のグループメンバーに送信して、第２のグループメンバーの閲読権限を制御する。
【００７７】
本実施例が提供する前記方法は、上述したステップを経て、グループ内で選択的にグループチャットをすることができ、グループ内のそれぞれのグループメンバーの閲読権限を正確にコントロールすることができ、新しいグループや新しいトピックを作成してなくても、一部のグループメンバーとのグループチャットを実現することができており、メッセージのプライバシーやセキュリティを保証して、操作の複雑さが大幅に減少され、グループチャットの面白さを向上させ、グループチャットの活性化の度合いを向上させ、ユーザーの体験を向上させることができる。
【００７８】
図８は、他の一実施形態に係るインスタントメッセージング装置を示すブロック図である。図８を参考にすれば、当該装置は、メッセージ提示モジュール１２１、閲読要求受信モジュール１２２及び確認モジュール１２３を含む。
【００７９】
メッセージ提示モジュール１２１は、ユーザーがグループ内で新しいメッセージを送信すると、グループ内で新しいメッセージ提示情報を送信するように構成される。当該新しいメッセージ提示情報は、そのグループ内のすべてのグループメンバーに、グループ内に未読の新しいメッセージが存在すると提示する。
【００８０】
閲読要求受信モジュール１２２は、当該グループ内のいずれかのメンバーの端末が送信した新しいメッセージの閲読を要求する閲読要求を受信するように構成される。その閲読要求は、当該グループメンバーが当該グループメンバーの端末を介してグループチャットのインターフェースに表示される当該新しいメッセージ提示情報によって送信されるものである。
【００８１】
確認モジュール１２３は、予め設定されたルールによって、当該閲読要求を選択して、当該グループメンバーの端末に当該新しいメッセージの表示を許可するかを確認するように構成される。
【００８２】
図９を参照すると、本実施例において、好ましくは、確認モジュール１２３は、確認サブモジュール１２３a、第１の送信サブモジュール１２３b及び第２の送信のサブモジュール１２３cを含むことができる。
【００８３】
確認サブモジュール１２３aは、ローカルの選択によって、当該グループメンバーの端末に新しいメッセージの表示を許可するかを確認するように構成される。
【００８４】
第１の送信サブモジュール１２３bは、確認サブモジュールが当該グループメンバーの端末に新しいメッセージの表示を許可することが確認されると、当該新しいメッセージを当該グループメンバーの端末に送信するように構成される。
【００８５】
第２の送信のサブモジュール１２３cは、確認サブモジュールが当該グループメンバーの端末に新しいメッセージの表示を許可しないことが確認されると、拒絶メッセージを、当該グループメンバーの端末に送信するように構成される。
【００８６】
本実施例において、好ましくは、確認サブモジュール１２３aは、ユーザーに、当該グループメンバーの端末に新しいメッセージの表示を許可するかを問い合わせ、又は予め設定されたホワイトリスト又はブラックリストを検索して当該グループメンバーの端末に新しいメッセージの表示を許可するかを確認するように構成される。
【００８７】
図１０を参照すると、好ましくは、当該メッセージ提示モジュール１２１は、
ユーザーがグループ内で新しいメッセージを送信すると、グループ内で１つの予め設定されたフォーマットのコントロールメッセージを送信するように構成されたメッセージ提示サブモジュール１２１aを含む。当該コントロールメッセージは、サーバーに指示して、新しいメッセージをグループ内でのローカルグループメンバー以外の、それぞれのグループメンバーの現在のグループチャットのインターフェースに送信するように設定されるものであり、当該新しいメッセージの指示情報は、そのグループのすべてのグループメンバーに、そのグループ内に未読の新しいメッセージが存在すると提示するものである。
【００８８】
前記実施例の装置について、それぞれのモジュールが操作を実行する具体的な方法は、関連する方法の実施例で詳細に記述したので、ここで詳細に説明しない。
【００８９】
本実施例による前記装置は、グループ内で選択的にグループチャットをすることができ、グループ内のそれぞれのグループメンバーの閲読権限を正確にコントロールすることができ、新しいグループ又は新しいトピックを作成しなくても、一部のグループメンバーとグループチャットを実現でき、メッセージのプライバシーやセキュリティを保証でき、操作の複雑さが大幅に減少でき、グループチャットの面白さを向上させ、グループチャットの活性化の度合いを向上させ、ユーザーの体験を向上させることができる。
【００９０】
図１１は、他の一実施形態に係るインスタントメッセージング装置を示すブロック図である。図１１を参照すると、当該装置は、メッセージ提示モジュール２２１、閲読要求転送モジュール２２２及びメッセージ転送モジュール２２３を含む。
【００９１】
メッセージ提示モジュール２２１は、グループ内で第１のグループメンバーの端末が送信した新しいメッセージ提示情報を受信し、当該新しいメッセージ提示情報をグループ内に転送するように配置される。当該新しいメッセージ提示情報は、そのグループ内のすべてのグループメンバーに、グループ内に未読の新しいメッセージが存在すると提示する。
【００９２】
閲読要求転送モジュール２２２は、グループ内で第２のグループメンバーの端末がグループチャットのインターフェースに表示される当該新しいメッセージ提示情報によって送信する、当該新しいメッセージの閲読を要求する閲読要求を受信し、その閲読要求を第１のグループメンバーの端末に送信するように配置される。
【００９３】
メッセージ転送モジュール２２３は、第１のグループメンバーの端末が第２のグループメンバーの端末に新しいメッセージの表示を許可するか否かを確認した後送信されるメッセージを受信し、第２のグループメンバーの端末に転送するように配置される。
【００９４】
図１２を参照すると、本実施例において、好ましくは、当該メッセージ転送モジュール２２３は、第１の転送サブモジュール２２３a又は第２の転送サブモジュール２２３bを含んでもよい。
【００９５】
第１の転送サブモジュール２２３aは、第１のグループメンバーの端末が第２のグループメンバーの端末に新しいメッセージの表示を許可すると確認した後送信される新しい情報を受信し、その新しい情報を第２のグループメンバーの端末に転送するように配置される。
【００９６】
第２の転送サブモジュール２２３bは、第１のグループメンバーの端末が第２のグループメンバーの端末に新しいメッセージの表示を許可しないことを確認した後送信される拒否情報を受信し、その拒絶情報を第２のグループメンバーの端末に転送するように配置される。
【００９７】
図１３を参照すると、本実施例において、好ましくは、メッセージ提示モジュール２２１は、
グループ内の第１のグループメンバーの端末が送信する予め設定されたフォーマットのコントロールメッセージを受信し、そのコントロールメッセージを新しいメッセージ提示情報と見なして、グループ内の第１のグループメンバー以外のそれぞれのグループメンバーの現在のインターフェースに送信するように配置されるメッセージ提示サブモジュール２２１aを含んでもよい。当該新しいメッセージ提示情報は、グループ内のすべてのグループメンバーに、グループ内に未読の新しいメッセージが存在すると提示するものでる。
【００９８】
前記実施例の装置について、それぞれのモジュールが操作を実行する具体的な方法は、関連する方法の実施例で詳細に記述したので、ここで詳細に説明しない。
【００９９】
本実施例による前記装置は、グループ内で選択的にグループチャットをすることができ、グループ内のそれぞれのグループメンバーの閲読権限を正確にコントロールすることができ、新しいグループ又は新しいトピックを作成しなくても、一部のグループメンバーとグループチャットをすることができ、メッセージのプライバシーやセキュリティを保証でき、操作の複雑さが大幅に減少でき、グループチャットの面白さを向上させ、グループチャットの活性化の度合いを向上させ、ユーザーの体験を向上させることができる。
【０１００】
図１４は、他の一実施形態に係るインスタントメッセージング装置を示すブロック図である。図１４を参照すると、当該装置は、プロセッサ１４０１と、プロセッサが実行可能なコマンドを記憶するメモリ１４０２を含み、
ここで、当該プロセッサ１４０１は、
ユーザーがグループ内で新しいメッセージを送信すると、グループ内で新しいメッセージ提示情報を送信し、
前記グループ内のいずれかのグループメンバーの端末が送信した前記新しいメッセージの閲読を要求する閲読要求を受信し、
予め設定されたルールによって、前記閲読要求を選択して、前記グループメンバーの端末に前記新しいメッセージの表示を許可するかを確認するように構成され、
前記新しいメッセージ提示情報は、前記グループ内のすべてのグループメンバーに、前記グループ内に未読の新しいメッセージが存在すると提示するものであり、
前記閲読要求は、前記グループメンバーが前記グループメンバーの端末を介してグループチャットのインターフェースに表示される前記新しいメッセージ提示情報によって送信されるものである。
【０１０１】
図１５は、他の一実施形態に係るインスタントメッセージング装置８００を示すブロック図である。例えば、装置８００は、携帯電話、コンピュータ、デジタル放送端末、メッセージ送受信装置、ゲームコンソール、タブレット装置、医療機器、ヘルス装置、パーソナルデジタルアシスタントなどであってもよい。
【０１０２】
図１５を参照すると、装置８００は、処理ユニット８０２、メモリ８０４、電源ユニット８０６、マルチメディアユニット８０８、オーディオユニット８１０、入出力（Ｉ/Ｏ）インターフェース８１２、センサユニット８１４及び通信ユニット８１６の中で、一つ又は複数を備えてもよい。
【０１０３】
処理ユニット８０２は、一般的に、装置８００の全体的な操作、例えば、ディスプレイ、携帯電話の呼び出し、デジタル通信、カメラの操作や記録操作に関連する操作を制御する。処理ユニット８０２は、１つ又は複数のプロセッサ８２０を含んでコマンドを実行して、前記方法の全部又は部分的なステップを完成する。また、処理ユニット８０２は、１つ又は複数のモジュールを含むことにより、処理ユニット８０２と他のユニットの相互間の交流（interaction）を容易にすることができる。例えば、処理ユニット８０２は、マルチメディアモジュールを含むことにより、マルチメディアユニット８０８と処理ユニット８０２の相互間の交流を容易にすることができる。
【０１０４】
メモリ８０４は、様々な種類のデータを保存して、装置８００での操作を支援するように配置される。これらのデータの例としては、装置８００で操作することができるいずれかのアプリケーション又は方法のコマンド、連絡先のデータ、電話帳、メッセージ、画像、動画などを含む。メモリ８０４は、いずれかのタイプの揮発性又は不揮発性記憶装置、又はこれらの組み合わせで構成することができる。例えば、ＳＲＡＭ(Static Random Access Memory)、ＥＥＰＲＯＭ(Electrically Erasable Programmable Read-Only Memory)、ＥＰＲＯＭ(Erasable Programmable Read Only Memory)、ＰＲＯＭ(Programmable Read-Only Memory)、ＲＯＭ(Read-Only Memory)、磁気メモリ、フラッシュメモリ、磁気ディスク、又は光学ディスクで構成することができる。
【０１０５】
電源ユニット８０６は、装置８００の様々なユニットに電力を提供する。電源ユニット８０６は、電源管理システム、１つ又は複数の電源、及び装置８００のために電力を生成、管理、配分することと関連するその他のユニットを含む。
【０１０６】
マルチメディアユニット８０８は、装置８００とユーザーの間に１つの出力インターフェースを提供するスクリーンを含む。一部の実施形態では、スクリーンは、ＬＣＤやＴＰ（タッチパネルを含むことができる。スクリーンがタッチパネルを含む場合、スクリーンはタッチスクリーンで実現することができ、ユーザーからの入力信号を受信することができる。タッチパネルは、１つ又は複数のタッチセンサを含んで、タッチ、スライド、及びタッチパネル上の手の動きを検出することができる。前記タッチセンサは、タッチやスライド動作の境界を検出することができるだけでなく、前記タッチやスライド操作に関連する持続時間と圧力を感知することもできる。一部の実施形態では、マルチメディアユニット８０８は、前方カメラ及び/又はリアカメラを含むことができる。装置８００は、例えば、撮影モードや動画モードなどの操作モードにある場合、前方カメラ及び/又はリアカメラは、外部のマルチデータを受信することができる。それぞれの前方カメラと後方カメラは固定的な光学レンズシステムであってもよく、あるいは焦点距離と光学ズーム機能を備えることもできる。
【０１０７】
オーディオユニット８１０は、オーディオ信号を入出力できるように配置される。例えば、オーディオユニット８１０は、１つのマイク（ＭＩＣ）を含み、装置８００が、例えば呼び出しモード、記録モード及び音声識別モードにある場合、ＭＩＣは、外部のオーディオ信号を受信することができるように配置される。受信されたオーディオ信号は、メモリ８０４に記憶されることがあり、又は通信ユニット８１６を経て送信されることもできる。一部の実施例では、オーディオユニット８１０は、オーディオ信号を出力するスピーカーを含むことができる。
【０１０８】
Ｉ/Ｏインターフェース８１２は、処理ユニット８０２と周辺インターフェースモジュールとの間にインターフェースを提供する。前記周辺インターフェースモジュールは、キーボード、クリックホイール又はボタンなどであってもよい。これらのボタンは、ホームページボタン、ボリュームボタン、操作ボタン又はロックボタンを含むがこれに限定されない。
【０１０９】
センサユニット８１４は、１つ又は複数のセンサを含み、装置８００に各方面の状態の評価を提供する。例えば、センサユニット８１４は、装置８００のＯＮ/ＯＦＦの状態や、ユニットの相対的位置決めを検出できる。例えば、前記ユニットは、装置８００のモニターや、小さなキーボードである。センサユニット８１４は、装置８００又は装置８００の１つのユニットの位置の変化や、ユーザーと装置８００との間の接触かどうかや、装置８００の位置や、加速/減速や、装置８００の温度変化を検出することができる。センサユニット８１４は、接近センサを含むことができ、何の物理的な接触がない状況で、隣に物体が存在するかを検出することができるように配置されている。センサユニット８１４は、光センサ、例えばＣＭＯＳ（Complementary Metal−Oxide−Semiconductor）又はＣＣＤ（Charge−Coupled Device）画像センサを含むことができ、映像の形成応用に使用される。一部の実施例で、センサユニット８１４は、加速度センサ、ジャイロスコープセンサ、磁気センサ、圧力センサ、又は温度センサをさらに含むことができる。
【０１１０】
通信ユニット８１６は、装置８００とその他の機器との間で有線又は無線方式の通信が便利になるように配置される。装置８００は、通信規格に基づいたワイヤレスネットワーク、例えばＷｉＦｉ、２Ｇ又は３Ｇ、又はこれらの組み合わせにアクセスすることができる。一実施例では、通信ユニット８１６は、放送チャンネルを介して、外部の放送管理システムからの放送信号、又は放送関連情報を受信することができる。一実施例では、前記通信ユニット８１６は、ＮＦＣ(Near Field Communication)モジュールをさらに含むことにより、短距離通信を促進することができる。例えば、ＮＦＣモジュールは、ＲＦＩＤ(Radio Frequency Identification)技術、ＩｒＤＡ(Infrared Data Association)技術、ＵＷＢ(Ultra−wide Bandwidth)技術、ＢＴ(Bluetooth（登録商標））技術やその他の技術に基づいて実現することができる。
【０１１１】
実施例では、装置８００は、１つ又は複数のＡＳＩＣ（Application Specific Integrated Circuits）、ＤＳＰ（Digital Signal Processors）、ＤＳＰＤ（Digital Signal Processing Devices）、ＰＬＤ（Programmable Logic Devices）、ＦＰＧＡ（Field Programmable Gate Arrays）、コントローラ、マイクロコントローラ、マイクロプロセッサ、又はその他の電子素子で構成することができ、前記方法を実行するために使用される。
【０１１２】
一実施例では、コマンドを含む非一時的コンピュータ読み取り可能な記憶媒体、例えばコマンドを含むメモリ８０４を提供する。前記コマンドは、装置８００のプロセッサ８２０が実行して前記方法を完成(achieve)する。例えば、前記非一時的コンピュータ読み取り可能な記憶媒体はＲＯＭ、ＲＡＭ（Random Access Memory）、ＣＤ-ＲＯＭ、磁気テープ、フロッピーディスク、及び光データ記憶装置などであってもよい。
【０１１３】
非一時的コンピュータ読み取り可能な記録媒体の場合、前記記録媒体に記憶されたコマンドがモバイル端末のプロセッサによって実行されると、携帯端末がインスタントメッセージングの方法を実行する。前記方法は、
ユーザーがグループ内で新しいメッセージを送信すると、グループ内で新しいメッセージ提示情報を送信するステップと、
前記グループ内のいずれかのグループメンバーの端末が送信した前記新しいメッセージの閲読を要求する閲読要求を受信するステップと、
予め設定されたルールによって、前記閲読要求を選択して、前記グループメンバーの端末に前記新しいメッセージの表示を許可するかを確定するステップとを含み、
前記新しいメッセージ提示情報は、前記グループ内のすべてのグループメンバーに、前記グループ内に未読の新しいメッセージが存在すると提示するものであり、
前記閲読要求は、前記グループメンバーが前記グループメンバーの端末を介してグループチャットのインターフェースに表示される前記新しいメッセージ提示情報によって送信されるものである。
【０１１４】
好ましくは、前記予め設定されたルールによって、前記閲読要求を選択して、前記グループメンバーの端末に前記新しいメッセージの表示を許可するかを確定するステップは、
ローカルの選択によって、前記グループメンバーの端末に前記新しいメッセージの表示を許可するかを確認するステップと、
前記グループメンバーの端末に前記新しいメッセージの表示を許可することが確認されると、前記新しいメッセージを前記グループメンバーの端末に送信するステップと、
前記グループメンバーの端末に前記新しいメッセージの表示を許可しないと確認されると、拒絶情報を前記グループメンバーの端末に送信するステップを含む。
【０１１５】
好ましくは、前記ローカルの選択によって、前記グループメンバーの端末に前記新しいメッセージの表示を許可するかを確認するステップは、
前記ユーザーに、前記グループメンバーの端末に前記新しいメッセージの表示を許可するかを問い合わせするステップ、又は、予め設定されたホワイトリスト又はブラックリストを検索し、前記グループメンバーの端末に前記新しいメッセージの表示を許可するかを確認するステップを含む。
【０１１６】
好ましくは、前記グループ内で新しいメッセージ提示情報を送信するステップは、
グループ内で１つの予め設定されたフォーマットのコントロールメッセージ送信するステップを含む。前記コントロールメッセージは、サーバーに指示して、新しいメッセージ提示情報を、前記グループ内のローカルグループメンバー以外の各グループメンバーの現在のインターフェースに送信させるように、設定されている。
【０１１７】
本実施例による前記非一時的コンピュータ読み取り可能な記憶媒体は、グループ内で選択的にグループチャットをすることができ、グループ内のそれぞれのグループメンバーの閲読権限を正確にコントロールして、新しいグループ又は新しいトピックを作成しなくても、一部のグループメンバーとグループチャットをすることができ、メッセージのプライバシーやセキュリティを保証でき、操作の複雑さを大幅に減少させ、グループチャットの面白さを向上させ、グループチャットの活性化の度合いを向上させ、ユーザーの体験を向上させることができある。
【０１１８】
図１６は、他の一実施形態に係るインスタントメッセージング装置を示すブロック図である。図１６を参照すると、プロセッサ１６０１と、プロセッサが実行可能なコマンドを記憶するメモリ１６０２を含み、
ここで、前記プロセッサ１６０１は、
グループ内の第１のグループメンバーの端末が送信した新しいメッセージ提示情報を受信し、前記新しいメッセージ提示情報をグループ内に転送し、
前記グループ内の第２のグループメンバーの端末がグループチャットのインターフェースに表示される前記新しいメッセージ提示情報によって送信される、前記新しいメッセージの閲読を要求する閲読要求を受信し、前記閲読要求を前記第１のグループメンバーの端末に転送し、
前記第１のグループメンバーの端末が前記第２のグループメンバーの端末に新しいメッセージの表示を許可するかを確認した後送信されるメッセージを受信し、前記第２のグループメンバーの端末に送信するように構成され、
前記新しいメッセージ提示情報は、前記グループ内のすべてのグループメンバーに、前記グループ内の未読の新しいメッセージが存在すると提示する。
【０１１９】
図１７は、他の一実施形態に係るインスタントメッセージング装置１９００を示すブロック図である。例えば、装置１９００は、サーバーで提供することができる。図１７を参照すると、装置１９００は、１つ又は複数のプロセッサを含む処理ユニット１９２２と、メモリ１９３２を代表とするメモリリソースを含むことができる。そのメモリリソースは、処理ユニット１９２２により実行されるコマンド、例えばアプリケーションを記憶する。メモリ１９３２に記憶されるアプリケーションは、少なくとも１つ以上のそれぞれの１組コマンドに対応するモジュールを含むことができる。そして、処理ユニット１９２２は、前記方法を実行するようにコマンドを実行する。
【０１２０】
装置１９００は、装置１９００の電源管理を実行する１つの電源ユニット１９２６と、装置１９００をネットワークに接続する１つの有線又は無線ネットワークインターフェース１９５０、及び１つの入出力（Ｉ/Ｏ）インターフェース１９５８を含むことができる。装置１９００は、メモリ１９３２に記憶されたオペレーティングシステム、例えばＷｉｎｄｏｗｓＳｅｒｖｅｒ（登録商標）ＴＭ、Ｍａｃ ＯＳ Ｘ（登録商標）ＴＭ、Ｕｎｉｘ（登録商標）ＴＭ、Ｌｉｎｕｘ（登録商標）ＴＭ、ＦｒｅｅＢＳＤ（登録商標）ＴＭ又は類似のものに基づいて操作することができる。
【０１２１】
本実施例が提供する前記の装置は、グループ内で選択的にグループチャットすることができ、グループ内の各グループメンバーの閲読権限を正確にコントロールすることができ、新しいグループ又は新しいトピックを作成していなくても、メッセージのプライバシーやセキュリティを保証して操作の複雑さを大幅に減少させ、また、グループチャットの面白さを向上させ、グループチャットの活性化の度合いを向上させ、ユーザーの体験を向上させることができる。
【０１２２】
当業者は、本明細書を考慮し、ここで公開した発明を実践した後、本発明の他の実施案を容易に想到することができる。本出願は、本発明の任意の変形、用途、又は適応的な変化を含むことにその旨がある。このような変形、用途、又は適応的な変化は、本発明の一般的な原理を遵守し、本発明が公開していない本技術分野の公知知識や慣用技術手段を備える。明細書及び実施例は、単に例示的であるだけで、本発明の真の範囲および精神は、添付された特許請求の範囲で提出する。
【０１２３】
なお、本発明は、前記で既に述べて図面に示した構造に限定されず、また、本発明の範囲を逸脱しない前提の下で、様々な修正や改変を行うことができる。本発明の範囲は、添付された特許請求の範囲によってのみ限定される。
【０１２４】
本出願は、出願番号が２０１４１０７２７８２６．８であって、出願日が２０１４年１２月０３日である中国特許出願を素礎として優先権を主張し、その中国特許出願の内容全体は、本出願に援用される。
【国際調査報告】
2017504921.tif 000020
2017504921.tif 000021
2017504921.tif 000022
2017504921.tif 000023